(57)【要約】【課題】遊技機を構成する第１部材と第２部材とを簡易に固定し得るようにする。【解決手段】ドラム式図柄表示装置Ｈには、ドラムケース１０３の右側部に、右方へ延出した２つの第２引掛け部２８５,２８５が設けられる。設置部材３５の右設置台部４７には、後方へ開口して各第２引掛け部２８５が後方から係合可能な２つの係合凹部４８,４８が設けられる。右設置台部４７には、スライド移動可能に規制部材５５が配設される。規制部材５５は、各係合凹部４８に各第２引掛け部２８５が係合するのを許容する退避位置と、各係合凹部４８に係合した各第２引掛け部２８５が該係合凹部４８から離脱するのを規制する規制位置との間でスライド移動し、退避位置から規制位置に移動させる際に各第２引掛け部２８５を各第１固定部４８に同時に固定させ得る。【選択図】図８
2014223211.tif 000002
【特許請求の範囲】
【請求項１】
複数の第１固定部が設けられた第１部材と、前記各第１固定部に各々対をなす第２固定部が設けられた第２部材とを備え、各第２固定部を対応の各第１固定部に各々固定して第２部材を第１部材に固定するよう構成された遊技機において、
前記第１部材にスライド移動可能に設けられ、前記各第１固定部に前記各第２固定部を係合するのを許容する退避位置および各第１固定部に係合した各第２固定部が該第１固定部から離脱するのを規制する規制位置の間で変位する規制手段を備え、
前記規制手段を前記規制位置にスライド移動させた際に、各第２固定部が同時に対応した各第１固定部から離脱不能に固定されるよう構成した
ことを特徴とする遊技機。
【請求項２】
前記規制手段に設けられた第１係合部と、
前記第１部材に設けられ、前記規制位置にある前記規制手段の第１係合部に対して係脱可能に係合する第２係合部とを備え、
前記第１係合部と第２係合部との係合により前記規制手段の前記退避位置への移動を規制するよう構成されると共に、
前記規制手段を挟んで前記第１固定部側の反対側から前記第１係合部に係合するよう前記第２係合部が設けられて、前記第２固定部が前記第１固定部から離脱する方向の力が該第２固定部に作用した際に、第１係合部および第２係合部の係合状態が保たれるよう構成された請求項１記載の遊技機。
【請求項３】
前記規制手段には、前記規制位置において前記各第２固定部に面接触する当受け部が設けられている請求項１または２記載の遊技機。
【請求項４】
前記規制手段には、前記退避位置において、該規制手段が規制位置側へ移動するのを規制するよう前記第２係合部に当接する当接部が設けられ、
前記第２係合部または前記当接部の少なくとも一方には、前記規制手段を前記退避位置から規制位置側に向けて付勢した際に、第２係合部または当接部の一方を該第２係合部または該当接部の他方から退避させて該規制手段が規制位置へスライド移動可能とする退避手段が設けられている請求項２記載の遊技機。
【請求項５】
前記第１部材は、遊技盤の後側に取付けられ、
前記第２部材は、外周面に各種図柄が表示された図柄表示体を駆動手段により回転させて図柄変動演出を行なう図柄表示ユニットを内部に備えた箱状に構成されて、前記各第２固定部が外方に突出した状態で設けられ、
前記規制手段により前記各第１固定部と各第２固定部とを固定した状態では、前記第１部材と第２部材との間に隙間が画成されるよう構成された請求項１〜４の何れか一項に記載の遊技機。
【発明の詳細な説明】
【技術分野】
【０００１】
この発明は、遊技機を構成する第１部材に、該遊技機を構成する第２部材を固定して構成される遊技機に関するものである。
【背景技術】
【０００２】
代表的な遊技機であるパチンコ機は、機内にセットされる遊技盤の盤面に画成した遊技領域に演出領域(表示部)が設けられ、該演出領域に臨むように遊技盤の後側に配設した図柄表示装置により図柄変動演出を行なうよう構成されている。遊技盤の後側には、該遊技盤の後側に配設された各種機器や部品を被覆すると共に各種装置や部品が取付けられる設置部材が配設され、該設置部材に対して図柄表示装置が固定されている。
【０００３】
前記図柄表示装置を設置部材に固定する構成として、設置部材に設けられた孔形態の複数の係合受部に、該係合受部との係合が解除される解除位置および該係合受部と係合する係合位置に回転変位可能に図柄表示装置に配設された複数の係合部材を係合させるものがある。すなわち、各係合部材を解除位置としたもとで図柄表示装置を設置部材にセットし、次いで各係合部材を解除位置から係合位置へ各々回転変位させることで、各係合部材が対応の係合受部に係合されて図柄表示装置が設置部材に固定される。このような遊技機は、特許文献１に開示されている。
【先行技術文献】
【特許文献】
【０００４】
【特許文献１】特開２００４−３２９６８０号公報
【発明の概要】
【発明が解決しようとする課題】
【０００５】
前述した従来の遊技機では、各係合部材を個別に係合位置に回転させて対応の係合受部に係合させるようになっているため、図柄表示装置を設置部材にワンタッチで着脱することができず、図柄表示装置の取付け作業および取外し作業が面倒である。また、各係合部材は、把持した状態で回転させる際に指先に力が入り難いため、解除位置から係合位置への回転操作および係合位置から解除位置への回転操作を行ない難い難点もある。しかも、係合部材の回転時に該係合部材と係合受部との間で発生する摩擦を軽減するため、係合部材と係合受部とが点接触するよう構成されているから、該点接触部分に応力が集中して図柄表示装置の重量を係合部材で適切に保持し得ない問題も指摘される。
【０００６】
そこで本発明は、前述した課題を解決するために案出されたものであって、遊技機を構成する第１部材に対して該遊技機を構成する第２部材を簡易に固定し得るよう構成した遊技機を提供することを目的とする。
【課題を解決するための手段】
【０００７】
前記課題を克服し、所期の目的を達成するため、本願の請求項１に係る発明は、
複数の第１固定部(48)が設けられた第１部材(35)と、前記各第１固定部(48)に各々対をなす第２固定部(285)が設けられた第２部材(103)とを備え、各第２固定部(285)を対応の各第１固定部(48)に各々固定して第２部材(103)を第１部材(35)に固定するよう構成された遊技機において、
前記第１部材(35)にスライド移動可能に設けられ、前記各第１固定部(48)に前記各第２固定部(285)を係合するのを許容する退避位置および各第１固定部(48)に係合した各第２固定部(285)が該第１固定部(48)から離脱するのを規制する規制位置の間で変位する規制手段(55)を備え、
前記規制手段(55)を前記規制位置にスライド移動させた際に、各第２固定部(285)が同時に対応した各第１固定部(48)から離脱不能に固定されるよう構成したことを要旨とする。
請求項１に係る発明によれば、遊技機を構成する第２部材に設けられた各第２固定部を、該遊技機を構成する第１部材に設けられた各第１固定部に各々係合したもとで、解除位置にある規制手段を規制位置へスライド移動させることで、各第２固定部が同時に対応した各第１固定部から離脱不能に固定される。すなわち、規制手段を解除位置から規制位置へスライド移動させるだけの操作により複数の第２部材を各第１部材に固定させることができ、第２部材を第１部材に対して簡易に固定することができる。しかも、規制手段は、解除位置から規制位置へスライド移動させるだけであるから、該規制手段に対する操作も簡易に行なうことができる。
【０００８】
請求項２に記載の発明では、
前記規制手段(55)に設けられた第１係合部(66)と、
前記第１部材(35)に設けられ、前記規制位置にある前記規制手段(55)の第１係合部(66)に対して係脱可能に係合する第２係合部(51)とを備え、
前記第１係合部(66)と第２係合部(51)との係合により前記規制手段(55)の前記退避位置への移動を規制するよう構成されると共に、
前記規制手段(55)を挟んで前記第１固定部(48)側の反対側から前記第１係合部(66)に係合するよう前記第２係合部(51)が設けられて、前記第２固定部(285)が前記第１固定部(48)から離脱する方向の力が該第２固定部(285)に作用した際に、第１係合部(66)および第２係合部(51)の係合状態が保たれるよう構成されたことを要旨とする。
請求項２に係る発明によれば、規制手段を規制位置にスライド移動させると、規制手段に設けられた第１係合部と第１部材に設けられた第２係合部とが係合するので、規制手段が規制位置に保持されて各第２固定部を各第１固定部に固定した状態を維持し得る。しかも、第１係合部に対して第１固定部側の反対側から第２係合部が係合するようになっているから、第２固定部に対し第１固定部から離脱する方向の力が作用して規制手段が第２係合部側へ押された場合には、第１係合部と該第２係合部との係合状態が保たれて該規制手段が規制位置から解除位置側へスライド移動することが規制され、第２部材が第１部材に固定された状態を好適に維持し得る。
【０００９】
請求項３に記載の発明では、
前記規制手段(55)には、前記規制位置において前記各第２固定部(285)に面接触する当受け部(62)が設けられていることを要旨とする。
請求項３に係る発明によれば、規制位置にある規制手段と各第２固定部が当受け部により面接触するから、該規制手段により各第２固定部を適切に保持することができる。
【００１０】
請求項４に記載の発明では、
前記規制手段(55)には、前記退避位置において、該規制手段(55)が規制位置側へ移動するのを規制するよう前記第２係合部(51)に当接する当接部(64)が設けられ、
前記第２係合部(51)または前記当接部(64)の少なくとも一方には、前記規制手段(55)を前記退避位置から規制位置側に向けて付勢した際に、第２係合部(51)または当接部(64)の一方を該第２係合部(51)または該当接部(64)の他方から退避させて該規制手段(55)が規制位置へスライド移動可能とする退避手段(53,65)が設けられていることを要旨とする。
請求項４に係る発明によれば、規制手段が退避位置にある場合には、該規制手段に設けられた当接部と第２規制部とが当接することで、該規制手段を退避位置に保持することが可能である。また、退避位置にある規制手段を規制位置側へ付勢した際には、退避手段により当接部または第２係合部の一方が他方から退避するから、規制手段を規制位置へスライド移動させることが可能である。
【００１１】
請求項５に記載の発明では、
前記第１部材(35)は、遊技盤(D)の後側に取付けられ、
前記第２部材(103)は、外周面に各種図柄が表示された図柄表示体(107,147)を駆動手段(106,146)により回転させて図柄変動演出を行なう図柄表示ユニット(100,101)を内部に備えた箱状に構成されて、前記各第２固定部(285)が外方に突出した状態で設けられ、
前記規制手段(55)により前記各第１固定部(48)と各第２固定部(285)とを固定した状態では、前記第１部材(35)と第２部材(103)との間に隙間(286)が画成されるよう構成されたことを要旨とする。
請求項５に係る発明によれば、遊技盤の後側に取付けられる第１部材に対して、図柄表示ユニットを内部に備えた第２部材を、各第１固定部に位置決めした各第２固定部に規制手段を係合することで適切に固定することができる。そして、第２部材と第１部材との間に隙間が画成されているから、図柄表示体の回転に際して図柄表示ユニットが振動しても、第１部材と第２部材との接触による異音の発生を抑えることができる。
【発明の効果】
【００１２】
本願発明に係る遊技機によれば、遊技機を構成する第１部材に配設された規制手段を規制位置にスライド移動させることで、該遊技機を構成する第２部材を該第１部材に簡易に固定することができる。
【図面の簡単な説明】
【００１３】
【図１】本発明の実施例に係るパチンコ機の正面図である。
【図２】本発明の実施例に係るパチンコ機の背面図である。
【図３】ドラム式図柄表示装置のシャッタ体が離間位置となっている遊技盤の正面図である。
【図４】ドラム式図柄表示装置のシャッタ体が近接位置となっている遊技盤の正面図である。
【図５】ドラム式図柄表示装置が配設された遊技盤の背面図である。
【図６】図５のＸ１−Ｘ１線断面図である。
【図７】遊技盤の後側に取り付けた設置部材からドラム式図柄表示装置を分離させた状態で示す斜視図である。
【図８】(ａ)は、ドラム式図柄表示装置を設置部材に固定する規制部材が退避位置にある状態を示す斜視図であり、(ｂ)は、規制部材が規制位置にある状態を示す斜視図である。
【図９】ドラム式図柄表示装置を設置部材に固定する規制部材が退避位置にある状態を示す部分背面図である。
【図１０】図９のＸ２−Ｘ２線断面図である。
【図１１】ドラム式図柄表示装置を設置部材に固定する規制部材が規制位置にある状態を示す部分背面図である。
【図１２】図１１のＸ３−Ｘ３線断面図である。
【図１３】図１１のＸ４−Ｘ４線断面図である。
【図１４】(ａ)は、規制部材を後上方から見た斜視図であり、(ｂ)は、規制部材を前上方から見た斜視図である。
【図１５】(ａ)は、規制部材の退避位置において当接部と係合突部とが当接することを示す部分拡大断面図であり、(ｂ)は、規制部材の規制位置において係合口と係合突部とが係合することを示す部分拡大断面図である。
【図１６】(ａ)は、実施例のドラム式図柄表示装置を前上方から見た斜視図であり、(ｂ)は、ドラム式図柄表示装置を後上方から見た斜視図である。
【図１７】ドラム式図柄表示装置を構成する第１図柄表示ユニット、第２図柄表示ユニットおよびシャッタユニットを、該シャッタユニットのシャッタ体が離間位置状態で示す正面図である。
【図１８】ドラム式図柄表示装置を構成する第１図柄表示ユニット、第２図柄表示ユニットおよびシャッタユニットを、該シャッタユニットのシャッタ体が離間位置状態で示す平面図である。
【図１９】ドラム式図柄表示装置を構成する第１図柄表示ユニット、第２図柄表示ユニットおよびシャッタユニットを、該シャッタユニットのシャッタ体が離間位置状態で前上方から見た斜視図である。
【図２０】ドラム式図柄表示装置を構成する第１図柄表示ユニット、第２図柄表示ユニットおよびシャッタユニットを、該シャッタユニットのシャッタ体が離間位置状態で後上方から見た斜視図である。
【図２１】ドラム式図柄表示装置を構成するシャッタユニットおよび第１図柄表示ユニットのガイド部材を、該シャッタユニットのシャッタ体が離間位置状態で前上方から見た斜視図である。
【図２２】ドラム式図柄表示装置を構成するシャッタユニットおよび第１図柄表示ユニットに配設されたガイド部材を、該シャッタユニットのシャッタ体が離間位置状態で後上方から見た斜視図である。
【図２３】ドラム式図柄表示装置を構成する第１図柄表示ユニット、第２図柄表示ユニットおよびシャッタユニットを、該シャッタユニットのシャッタ体が近接位置状態で前上方から見た斜視図である。
【図２４】ドラム式図柄表示装置を構成する第１図柄表示ユニット、第２図柄表示ユニットおよびシャッタユニットを、該シャッタユニットのシャッタ体が近接位置状態で後上方から見た斜視図である。
【図２５】ドラム式図柄表示装置を構成するシャッタユニットおよび第１図柄表示ユニットに配設されたガイド部材を、該シャッタユニットのシャッタ体が近接位置状態で前上方から見た斜視図である。
【図２６】ドラム式図柄表示装置を構成するシャッタユニットおよび第１図柄表示ユニットに配設されたガイド部材を、該シャッタユニットのシャッタ体が近接位置状態で後上方から見た斜視図である。
【図２７】前上方から見たドラム式図柄表示装置の分解斜視図である。
【図２８】後上方から見たドラム式図柄表示装置の分解斜視図である。
【図２９】前上方から見た第１図柄表示ユニットの分解斜視図である。
【図３０】後上方から見た第１図柄表示ユニットの分解斜視図である。
【図３１】前上方から見た第２図柄表示ユニットの分解斜視図である。
【図３２】後上方から見た第２図柄表示ユニットの分解斜視図である。
【図３３】前上方から見たシャッタユニットの分解斜視図である。
【図３４】後上方から見たシャッタユニットの分解斜視図である。
【図３５】第１図柄表示ユニットおよび第２図柄表示ユニットをドラムケースのケース体に取り付ける態様を示す説明図である。
【図３６】図１７のＸ５−Ｘ５線断面図であって、ドラムケースを同時に図示してある。
【図３７】シャッタ体に設けられたガイド片が第１図柄表示ユニットに設けられたガイド溝に支持された状態を示す説明図であって、(ａ)は、シャッタ体が離間位置に移動する状態を示し、(ｂ)は、シャッタ体が近接位置に移動する状態を示している。
【図３８】実施例のドラム式図柄表示装置において、シャッタユニットが作動しない図柄変動演出を例示した説明図であって、(ａ)は、シャッタ体が離間位置状態で各第１図柄表示ユニットおよび第２図柄表示ユニット図柄ドラムが回転している状態を示し、(ｂ)は、第２図柄表示ユニットの停止時にシャッタ体が離間位置に保持されることで５本の図柄組合わせラインが形成された状態を示し、(ｃ)は、各第１図柄表示ユニットの図柄ドラムが停止することで、５本の図柄組合わせライン上に合計９個の図柄が停止表示された状態を示している。
【図３９】実施例のドラム式図柄表示装置において、シャッタユニットが作動する図柄変動演出を例示した説明図であって、(ａ)は、シャッタ体が離間位置状態で各第１図柄表示ユニットおよび第２図柄表示ユニット図柄ドラムが回転している状態を示し、(ｂ)は、第２図柄表示ユニットの停止時に各シャッタ体が近接位置に移動することで１本の図柄組合わせラインが形成された状態を示し、(ｃ)は、各第１図柄表示ユニットの図柄ドラムが停止することで、１本の図柄組合わせライン上に合計３個の図柄が停止表示された状態を示している。
【図４０】シャッタユニットの各シャッタ体を個別に作動制御可能な構成としたドラム式図柄表示装置の図柄変動演出の態様を例示した説明図であって、(ａ)は、第１シャッタ体のみを近接位置に移動させることで２本の図柄組合わせラインが形成された状態を示し、(ｂ)は、第２シャッタ体のみを近接位置に移動させることで２本の図柄組合わせラインが形成された状態を示している。
【図４１】第１ガイド部および第２ガイド部の変更例を示す説明断面図である。
【発明を実施するための形態】
【００１４】
次に、本発明に係る遊技機につき好適な実施例を挙げて、添付図面を参照しながら、以下詳細に説明する。なお、本実施例では、代表的な遊技機であるパチンコ球を遊技媒体として用いるパチンコ機に対して、図柄表示装置としてドラム式図柄表示装置を配設する場合を例にして説明する。また、以下の説明において、「前」・「後」および「左」・「右」とは、図１に示すようにパチンコ機に配設された遊技盤を正面側(遊技者側)から視た状態を基準とし、遊技者側を前方と指称すると共に遊技盤の裏側を後方と指称する。
【実施例】
【００１５】
(パチンコ機の概略構成について)
実施例に係るパチンコ機Ｐは、図１および図２に示すように、遊技店に設けられた「島」とも称される設置枠台(図示せず)に固定される固定枠としての外枠Ａと、該外枠Ａに対して前側から着脱および開閉可能に枢支された本体枠としての中枠Ｂと、該中枠Ｂに着脱交換可能に取り付けられて所要の遊技領域１２が画成された遊技盤Ｄと、中枠Ｂの前面側に着脱および開閉可能に枢支され、該中枠Ｂに配設した遊技盤Ｄを透視保護する前枠Ｃとを備えている。前枠Ｃの前側には、透明板１１が配設された窓口１０の下方に、遊技球を貯留可能な上球皿(上球貯留部)Ｅが配設されると共に、該上球皿Ｅの下方に、遊技球を貯留可能な下球皿(下球貯留部)Ｆや、中枠Ｂに配設された打球発射装置(図示せず)および前枠Ｃに配設された球送り装置(図示せず)を作動させるハンドルユニットＧが配設されている。
【００１６】
パチンコ機Ｐの後側には、図２に示すように、中枠Ｂの後側上部に、外部球供給設備(図示せず)から供給されるパチンコ球を貯留する球タンク３０２が配設されている。また、中枠Ｂの後側左部(図２では右側)に、球タンク３０２と連通接続する球通路ユニット３０３が上下に架設され、該球通路ユニット３０３には球払出し装置３０４が配設されている。従って、球払出し装置３０４の作動により、球タンク３０２に供給されたパチンコ球を上下の球皿Ｅ,Ｆへ給出するよう構成されている。また、遊技盤Ｄの後側に配設された設置部材(第１部材)３５には、主制御基板が収容された主制御装置３００や、統括制御基板が収容された統括制御装置３０１が設置されている。
【００１７】
このようなパチンコ機Ｐでは、上球皿Ｅから球送り装置および打球発射装置を介して遊技盤Ｄの遊技領域１２へ打ち込まれた遊技球が、該遊技領域１２内に配設された始動入賞装置２４に入賞することにより、主制御装置３００および統括制御装置３０１による所定の制御に基づき、該遊技盤Ｄに設けられた表示窓口(表示部)１８に臨むように配設されたドラム式図柄表示装置Ｈでの図柄変動演出が開始される。そしてパチンコ機Ｐは、ドラム式図柄表示装置Ｈにおける図柄変動演出の結果として、表示窓口１８に図柄が所定の組み合わせで停止することにより遊技者に有利な特別遊技状態(例えば「大当り」)が発生すると、遊技盤Ｄの遊技領域１２に設けられた特別入賞装置２７(図３,図４参照)の特別入賞口２８が開放して多数の遊技球の入賞が可能となり、遊技球の入賞に基づいて球通路ユニット３０３の球払出し装置３０４が作動して多数のパチンコ球が賞球として上球皿Ｅまたは下球皿Ｆへ払い出される。
【００１８】
(遊技盤)
遊技盤Ｄは、図３および図４に示すように、中枠Ｂに設けた遊技盤保持部(図示せず)の内縁形状に整合する外縁形状に形成された木製合板または合成樹脂板であり、該遊技盤Ｄの前側には、打球発射装置から発射された遊技球が流下し得る遊技領域１２が画成されると共に、後述する設置部材３５が該遊技盤Ｄの後側に取り付けられている(図５、図６参照)。遊技盤Ｄの前側には、左下部から右上部にかけて円弧状に延在する外レール１３と、この外レール１３の内側に中央下部から左上部にかけて並べて配置された内レール１４と、外レール１３の右上部から内レール１４の下部までの間に右方へ凹む湾曲形状に構成された盤面飾り部材１５が配設されており、両レール１３,１４および盤面飾り部材１５で囲まれた内側が遊技領域１２として構成される。これにより、打球発射装置から発射された遊技球は、外レール１３と内レール１４との間を通って遊技領域１２の左上部に打ち出された後、該遊技領域１２内を流下する。なお、遊技領域１２は、内レール１４の延在長を大きく設定して、外レール１３および該内レール１４により形成するように構成してもよい。
【００１９】
遊技盤Ｄは、図６に示すように、遊技領域１２の略中央に前後に開口する装着口１６が形成されている。そして遊技盤Ｄは、図３、図４および図６に示すように、前後に開口する表示窓口１８が形成されたセンター役とも称される枠状装飾体１７が、該装着口１６の開口縁を覆うように取り付けられている。枠状装飾体１７の表示窓口１８には、前述した設置部材３５に後側から固定されたドラム式図柄表示装置Ｈの複数(実施例では４つ)の図柄ドラム(図柄表示体)１０７,１０７,１０７,１４７が、遊技盤Ｄの前側から視認可能に臨んでいる。そして、表示窓口１８の前部には、ドラム式図柄表示装置Ｈに配設された合計４つの図柄ドラム(図柄表示体)１０７,１０７,１０７,１４７の前側部分に対応する４つの開口１９Ａが開口した枠状の窓枠部材１９が配設されている(図２、図３、図５、図６参照)。これにより、ドラム式図柄表示装置Ｈの各図柄ドラム１０７,１０７,１０７,１４７間の隙間が前側から隠されるようになっている。そして、実施例のドラム式図柄表示装置Ｈは、後述するように、最も右側に位置する図柄ドラム１４７と残り３つの各図柄ドラム１０７との役割が異なっている。このため、窓枠部材１９は、右側の図柄ドラム１４７と該図柄ドラム１４７の左隣りに位置する図柄ドラム１０７との間に位置する第１縦枠部１９Ｂの幅が、各図柄ドラム１０７間に位置する第２縦枠部１９Ｃの幅より大きく形成されている。なお、枠状装飾体１７には、表示窓口１８の上側および下側に、照明手段を備えた装飾部材２０,２０が配設されている。
【００２０】
遊技盤Ｄの遊技領域１２内には、多数の遊技釘２１が打設されていると共に、枠状装飾体１７の左側方には、遊技領域１２を流下する遊技球の接触に伴って回転する回転案内部材２２が回転自在に支持されており、遊技領域１２に打ち出された遊技球が遊技釘２１や回転案内部材２２に接触することで、該遊技球の流下方向が不規則に変化するよう構成されている。また、遊技領域１２内の左側方には、該遊技領域１２を流下する遊技球が通過する球通過ゲート２３が配設されており、該球通過ゲート２３の後側には該ゲート２３を通過した遊技球を検知するセンサが設けられている。更に、遊技領域１２における枠状装飾体１７の下方位置には、遊技領域１２を流下した遊技球が入賞可能な第１始動入賞口２５および第２始動入賞口２６を有する始動入賞装置２４や、特別入賞口２８を有する特別入賞装置２７や、普通入賞口３０を有する普通入賞装置２９が配設されている。
【００２１】
(始動入賞装置)
始動入賞装置２４における第１始動入賞口２５は、図３および図４に示すように、遊技領域１２内で常に上方へ開口する常時開放タイプであり、第２始動入賞口２６は、所定の駆動手段により該第２始動入賞口２６を開閉可能に構成された開閉部材２６Ａ,２６Ａが設けられており、該開閉部材２６Ａ,２６Ａが第２始動入賞口２６を閉じた閉鎖位置と開いた開放位置とに変位するよう構成されている。すなわち、第１始動入賞口２５は、遊技領域１２を流下する遊技球が常時一定の確率で入賞可能に構成され、第２始動入賞口２６は、遊技領域１２に配設された球通過ゲート２３をパチンコ球が通過したことを条件として実施される普図当り判定(普図当り抽選)の結果に応じて開閉部材２６Ａ,２６Ａが開閉することで、遊技球の入賞確率を可変し得るよう構成されている。始動入賞装置２４には第１始動入賞口２５に入賞した遊技球を検出する始動入賞センサが配設されると共に、第２始動入賞口２６に入賞した遊技球を検出する始動入賞センサが配設されており、各始動入賞センサによる球検出信号が主制御装置３００に入力される。そして、各始動入賞センサによる遊技球の検出を契機として、所定数の遊技球が賞球として払い出される。
【００２２】
(特別入賞装置)
特別入賞装置２７は、図３および図４に示すように、遊技領域１２に開口する特別入賞口２８を開閉自在に閉成する開閉扉２８Ａを備えており、駆動手段の駆動に伴って開閉扉２８Ａが閉じた閉鎖位置と開いた開放位置とに変位するよう構成されている。また、特別入賞装置２７には、特別入賞口２８に入賞した遊技球を検出する特別入賞センサが設けられており、該特別入賞センサからの球検出信号が主制御装置３００へ入力される。そして、主制御装置３００において大当り判定結果が肯定の場合には、ドラム式図柄表示装置Ｈにおいて統括制御装置３０１において決定された変動パターンに応じて実行された図柄変動演出の終了後に、遊技者に有利な遊技として特別入賞装置２７の開閉扉２８Ａが開放制御され、特別入賞口２８に対して多数の遊技球が入賞可能となる。
【００２３】
(主制御装置について)
パチンコ機Ｐの遊技を総合的に制御する主制御基板を備えた主制御装置３００は、図２に示すように、設置部材３５の後側下部(ドラム式図柄表示装置Ｈの配設位置の下側)に配設されている。主制御装置３００の主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。そして主制御装置３００は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御装置３００では、第１始動入賞口２５または第２始動入賞口２６の始動入賞検出センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行なう。また主制御装置３００では、大当り判定の結果が肯定の場合には、大当り演出のみが含まれる変動パターンテーブルから大当り演出用の変動パターンを決定する。これに対して、大当り判定の結果が否定の場合には、はずれ演出のみが含まれる変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行なう。なお、変動パターンテーブルから決定される大当り演出およびはずれ演出の変動パターンは、少なくとも図柄変動演出の変動時間および演出内容を特定するものである。そして、パチンコ機Ｐでは、主制御装置３００の大当り判定の結果に応じて出力された統括制御装置３０１の制御信号に基づいて、ドラム式図柄表示装置Ｈに所定の演出表示を行なわせると共に、主制御装置３００の制御により出力された球払出しに係る制御信号に基づいて、球通路ユニット３０３に配設された球払出し装置３０４によって所定数の賞球が払い出される。
【００２４】
(統括制御装置)
統括制御装置３０１の統括制御基板には、統括制御ＣＰＵが備えられると共に、該統括制御ＣＰＵには、統括制御ＲＯＭおよび統括制御ＲＡＭが接続されている。また、統括制御ＣＰＵは、実行可否判定用乱数や動作変動パターン抽選用乱数等の各種乱数の値を所定の周期毎に更新し、更新後の値を統括制御ＲＡＭの設定領域に記憶(設定)して更新前の値を書き換えている。更に、統括制御ＲＯＭには、ドラム式図柄表示装置Ｈの各図柄表示ユニット１００,１０１およびシャッタユニット１０２(図６参照)の作動を制御する作動制御部、装飾部材２０に配設された照明装置やドラム式図柄表示装置Ｈに配設された照明手段１２６,１６６(図６参照)等を制御する照明制御部、スピーカを制御する音制御部等を統括的に制御するための統括制御プログラム等が記憶されている。
【００２５】
(設置部材)
遊技盤Ｄの後側に取り付けられる設置部材３５は、図５〜図７に示すように、中央に設置開口３６が形成されて全体が略矩形の枠状に構成された合成樹脂製の部材であり、設置開口３６を枠状装飾体１７の表示窓口１８に臨ませた状態で前端を遊技盤Ｄの後面に突き合わせて、ネジ等により該遊技盤Ｄに取り付けられる。設置部材３５は、設置開口３６の上側に位置する上枠体部３７と、該設置開口３６の下側に位置する下枠体部３８と、設置開口３６の左側に位置して上枠体部３７の左部および下枠体部３８の左部に連設された左枠体部３９と、設置開口３６の右側に位置して上枠体部３７の右部および下枠体部３８の右部に連設された右枠体部４０とから構成され、設置開口３６は横長の略矩形に形成されている(左枠体部３９および右枠体部４０は、図５および図７では左右逆に表れている)。なお、上下左右の各枠体部３７,３８,３９,４０の外周縁には、当該設置部材３５を遊技盤Ｄに固定するための取付片４１が複数形成されている。
【００２６】
上枠体部３７は、図５および図７に示すように、後方に突出すると共に前方に開口した略バケット形状に形成されており、枠状装飾体１７に配設された装飾部材２０の後部を収容して後方からカバーし得るようになっている。下枠体部３８は、図５および図７に示すように、前方に開口して遊技盤Ｄの後面との間に空間を画成して、該遊技盤Ｄに設置された始動入賞装置２４、特別入賞装置２７および普通入賞装置２９等を後方からカバーし得るようになっている。また、下枠体部３８の後部には、中継基板および主制御装置３００等が設置される。
【００２７】
左枠体部３９には、図２、図５〜図７に示すように、後方へ延出した保持部４４が形成されており、該保持部４４に統括制御装置３０１が設置されるようになっている。この保持部４４は、統括制御装置３０１を、その長手が縦となる向きで左右両側から保持するように構成されている。また、左枠体部３９における設置開口３６の左側には、ドラム式図柄表示装置Ｈの左側部を支持するための左設置台部４５が、上下に延在するように設けられている。左設置台部４５における設置開口３６に向いた端部には、該設置開口３６に開口して左方へ凹となる係合口４６が、上下に離間して複数(実施例では２つ)形成されている。各係合口４６,４６は、ドラム式図柄表示装置Ｈの左端に左側方へ突出して形成された複数(実施例では２つ)の第１引掛け部２８４,２８４(図１６(ａ),図１６(ｂ)参照)を、設置開口３６内から差し込み可能に構成されている。そして各係合口４６,４６は、差し込まれた第１引掛け部２８４,２８４を、上下方向および前後方向へ移動不能に係合保持するようになっている。すなわち、各第１引掛け部２８４,２８４を対応の係合口４６,４６に係合することで、ドラム式図柄表示装置Ｈの左側部が左設置台部４５に固定されて支持される。
【００２８】
右枠体部４０における設置開口３６に沿う部位には、図５〜図１３に示すように、ドラム式図柄表示装置Ｈの右側部を支持するための右設置台部４７が、上下に延在して設けられている。右設置台部４７には、後方および左右に開口して前方へ凹となる係合凹部(第１固定部)４８が、上下に離間して複数(実施例では２つ)形成されている。各係合凹部４８,４８は、ドラム式図柄表示装置Ｈの右端に右側方へ突出して形成された複数(実施例では２つ)の第２引掛け部(第２固定部)２８５,２８５を、後方から嵌め込んで係合可能に構成されている。すなわち、各係合凹部４８は、係合された第２引掛け部２８５が前方および上下方向へ移動するのを規制するようになっている。また、右設置台部４７の後面には、後方へ突出するガイド部４９が、上下に離間して複数(実施例では２つ)設けられている。各ガイド部４９は、後述する規制手段としての規制部材５５を、右設置台部４７に対して上下へスライド移動可能に支持するものである。
【００２９】
(保持突部)
右設置台部４７の下側部分には、図７および図８に示すように、上下に開口する枠状壁部５０が設けられており、規制部材５５の下部に形成されたストッパ部５７が上下に挿通可能となっている。そして、枠状壁部５０の後側を構成する後壁部５０Ａは、規制部材５５の前側に位置する係合凹部４８に対し、該規制部材５５を挟んで反対側となる後側に位置している。そして、枠状壁部５０の後壁部５０Ａの前面(枠状壁部５０に挿通されるストッパ部５７と対向する側)には、第２係合部としての保持突部５１が形成されている(図８、図９、図１５参照)。保持突部５１は、後壁部５０Ａの前面から突出した鉤状の突部であり、略水平に形成された下面部５２と、下面部５２の前縁から上方にいくにつれて後方へ変位するよう傾斜した退避手段としての傾斜部５３とを備えている。そして、保持突部５１は、規制部材５５の退避位置において、ストッパ部５７に設けられた当接部６４に傾斜部５３が後下方から当接するよう構成され(図１０、図１５(ａ)参照)、規制部材５５の規制位置において、該ストッパ部５７に設けられた第１係合部としての係合口６６に下面部５２が後上方から当接するように構成されている(図１２、図１５(ｂ))。
【００３０】
(規制部材)
右設置台部４７には、図５〜図１３に示すように、各係合凹部４８,４８に係合した各第２引掛け部２８５,２８５を該係合凹部４８,４８に固定するための規制部材(規制手段)５５が配設されている。この規制部材５５は、右設置台部４７に対して上下にスライド移動が可能に配設されており、各係合凹部４８,４８に各第２引掛け部２８５,２８５を係合するのを許容する退避位置(図８(ａ)、図９、図１０参照)および各係合凹部４８,４８に係合した各第２引掛け部２８５,２８５が該係合凹部４８,４８から離脱するのを規制する規制位置(図８(ｂ)、図１１、図１２参照)の間を変位するようになっている。そして、規制部材５５は、退避位置から規制位置にスライド移動させた際に、各第２引掛け部２８５,２８５に対して後側から同時に当接することで、各第２引掛け部２８５,２８５を対応した各係合凹部４８,４８から離脱不能に固定するようになっている。なお、規制部材５５の規制位置においては、各係合凹部４８,４８の後方開口が該規制部材５５で塞がれる。
【００３１】
規制部材５５は、図１４および図１５に示すように、縦長に形成された合成樹脂製の部材である。規制部材５５は、前述した各第２引掛け部２８５,２８５に係止して保持する本体部５６と、この本体部５６に設けられ、該本体部５６の下端から下方へ延出するストッパ部５７とからなる。ここで、本体部５６とストッパ部５７とは、一体に形成されている。本体部５６は、右設置台部４７に接触する前面５８Ａ側が平坦に形成された本体板部５８と、該本体板部５８の外周縁から後方へ突出すると共に該外周縁に沿って延在するよう形成されたリブ５９とを有しており、該リブ５９により本体部５６の長手方向における撓み変形や捻れ変形を抑制するように構成されている。本体部５６には、その上縁近傍および長手方向の中央下方に、前後に開口すると共に上下に長いガイド孔６０,６０が形成されている。各ガイド孔６０,６０には、前述したガイド部４９,４９が前側から摺動可能に挿入されて(図１０、図１２参照)、該ガイド孔６０,６０に挿入された該ガイド部４９,４９の先端(後端)には、本体部５６がガイド部４９,４９から後方へ外れるのを防止する抜止め部材５４が取り付けられている。なお、抜止め部材として、ガイド孔６０,６０の左右開口幅より大きいワッシャ付きのネジが採用されている。これにより、規制部材５５は、右設置台部４７に対し上下方向のスライド移動が可能に取り付けられる。
【００３２】
本体部５６には、図１４および図１５に示すように、長手方向の略中央および下部(ストッパ部５７の上側)に、左方および前後に開口する切欠き部６１,６１が形成されている。各切欠き部６１,６１は、右設置台部４７に形成された各係合凹部４８,４８の上下間隔と同間隔で形成されており、図８(ａ)、図９および図１０に示すように、規制部材５５の退避位置において、各切欠き部６１,６１が各係合凹部４８,４８と前後方向で整合するようになっている。そして、各切欠き部６１,６１は、前述した第２引掛け部２８５,２８５が前後に通過可能な上下幅に形成されており、規制部材５５の退避位置においては、各係合凹部４８,４８への該第２引掛け部２８５,２８５の係合を許容し得るようになっている。
【００３３】
また、図１４および図１５に示すように、本体部５６における各切欠き部６１,６１の下方部位は、規制部材５５の規制位置において各第２引掛け部２８５,２８５の後面に当接する当受け部６２,６２となっている。各当受け部６２,６２の前面は、第２引掛け部２８５,２８５の後面２８５Ａと面接触し得るよう平坦に形成されている。そして、各当受け部６２,６２は、図８(ａ)、図９および図１０に示すように、規制部材５５の退避位置において、各係合凹部４８,４８の上方に位置するようになっている。また、各当受け部６２,６２は、図８(ｂ)、図１１および図１２に示すように、規制部材５５の退避位置において、各係合凹部４８,４８の後側に位置して第２引掛け部２８５,２８５の後面２８５Ａに当接する。なお、各当受け部６２,６２は、図１１〜図１３に示すように、規制部材５５の規制位置において、各々の第２引掛け部２８５,２８５の後面２８５Ａと面接触する。
【００３４】
規制部材５５は、図１４に示すように、本体部５６における上側の切欠き部６１と下側のガイド孔６０との間に、後方へ延出した操作片６３が形成されている。この操作片６３は指で摘むことが可能な形状、サイズに形成されており、該操作片６３を把持しながら規制部材５５を退避位置および規制位置の間で簡易にスライド移動させ得る。
【００３５】
(ストッパ部)
ストッパ部５７は、図１４および図１５に示すように、本体部５６との連設部分を中心として前後方向への弾性変形が可能な舌片状に形成されている。ストッパ部５７の下端には、規制部材５５の退避位置において、右設置台部４７に形成された前述の保持突部５１に上方から当接する当接部６４が形成されている。すなわち、当接部６４は、退避位置にある規制部材５５が、退避位置から規制位置側へスライド移動するのを規制して該退避位置に保持するように機能する。そして、当接部６４には、図１５(ａ)および図１５(ｂ)に示すように、保持突部５１の傾斜部５３と当接する退避手段としての傾斜面６５が、ストッパ部５７の下端から上方にいくにつれて後方へ傾斜するように形成されている。従って、保持突部５１の傾斜部５３に当接部６４の傾斜面６５が上方から当接した状態で規制部材５５を退避位置から規制位置に向けて下方へ付勢した際に、ストッパ部５７が前方へ変位するように弾性変形して当接部６４が保持突部５１に対し前側へ退避し、規制部材５５を退避位置に向けてスライド移動させ得るように構成されている。
【００３６】
また、図１４および図１５に示すように、ストッパ部５７における本体部５６と隣接する部分には、規制部材５５の規制位置において、前述の保持突部５１が後方から係脱可能に係合する第２係合部として係合口６６が設けられている。係合口６６は、ストッパ部５７から後側に開口すると共に前側へ凹となる形状に形成されており、前方へ突出した保持突部５１が後方から係合して、該保持突部５１の下面部５２が係合口６６の下端部６６Ａに上方(退避位置側)から当接することで、規制部材５５が規制位置から退避位置側へスライド移動するのを規制し得るようになっている。そして、図１１および図１２に示すように、規制部材５５の規制位置においては、ストッパ部５７の下端が枠状壁部５０から下方へ突出するようになっており、ストッパ部５７を前方へ付勢して該ストッパ部５７を前方へ弾性変形させることが可能であり、このようにストッパ部５７が弾性変形することで、保持突部５１と係合口６６との係合が解除されるよう構成されている。従って、規制部材５５の規制位置において、ストッパ部５７を前方へ弾性変形させることで、当該規制部材５５を退避位置に向けてスライド移動することが許容される。すなわち、規制部材５５は、ストッパ部５７を強制的に前方へ弾性変形させなければ退避位置側へスライド移動させることができず、規制部材５５が規制位置から不用意にスライド移動するのを防止するよう構成されている。なお、実施例では、係合口６６がストッパ部５７の前面に開口しているが、保持突部５１が係止して規制部材５５を規制位置に保持可能であれば、係合口６６はストッパ部５７の前面に開口していなくてもよい。
【００３７】
(ドラム式図柄表示装置)
次に、実施例のドラム式図柄表示装置Ｈについて、図面を引用して説明する。なお、ドラム式図柄表示装置Ｈの説明における左右方向、前後方向および上下方向は、遊技盤Ｄの設置部材３５に取り付けた状態を基準として指称する。
【００３８】
実施例に係るドラム式図柄表示装置Ｈは、図６、図１６〜図１８、図２７および図２８に示すように、外周面に各種図柄１１４Ａ,１５４Ａが表示された図柄ドラム(図柄表示体)１０７,１４７を駆動モータ(駆動手段)１０６,１４６の駆動により回転させる複数(実施例では４基)の図柄表示ユニット１００,１０１を、矩形箱状のドラムケース(収容ケース,第２部材,ケース体)１０３内に収容して構成されている。実施例のドラム式図柄表示装置Ｈは、図柄ドラム１０７の回転中心を一致させて横並びに配置された３基の第１図柄表示ユニット１００,１００,１００と、該第１図柄表示ユニット１００より小型に構成されて、右側の第１図柄表示ユニット１００の右隣りに配置された１基の第２図柄表示ユニット１０１とを備えている。ここで、各第１図柄表示ユニット１００は、主制御装置３００における大当り抽選の結果を表示するよう図柄ドラム１０７が回転制御される。また、第２図柄表示ユニット１０１は、主制御装置３００における大当り抽選の結果を示唆したり、各第１図柄表示ユニット１００の動作態様(演出内容)を示唆するよう図柄ドラム１４７が回転制御される。また、実施例のドラム式図柄表示装置Ｈは、３基の第１図柄表示ユニット１００の各図柄ドラム１０７に表示された図柄１１４Ａを被覆して隠すことが可能なシャッタユニット１０２を備えている。そして、ドラム式図柄表示装置Ｈは、統括制御装置３０１からの制御信号に基づいて第１および第２の各図柄表示ユニット１００,１０１の駆動モータ１０６,１４６を個別に駆動制御するよう構成され、該統括制御装置３０１からの制御信号に基づいて各図柄ドラム１０７,１４７が回転することで所要の図柄変動演出が行なわれる。
【００３９】
(第１図柄表示ユニット)
３基の各第１図柄表示ユニット１００は、図柄ドラム(以降「第１図柄ドラム」という)１０７の外周に表示された図柄１１４Ａの配列が、左側と中央の第１図柄表示ユニット１００が同じで、右側の第１図柄表示ユニット１０１が異なっている。但し、各第１図柄表示ユニット１００は、図柄１１４Ａの配列が異なる点を除いては、各構成部品や構造が基本的に同じである。従って、ここでは、右側の第１図柄表示ユニット１００を図示して説明し、左側および中央の第１図柄表示ユニット１００,１００は、右側の第１図柄表示ユニット１００と同一部材、部位に同一の符号を付して説明は省略する。
【００４０】
図２９、図３０および図３６に示すように、第１図柄表示ユニット１００は、ドラムケース１０３に保持される支持板１０５と、該支持板１０５に配設されて統括制御装置３０１からの制御信号により駆動制御される駆動モータ１０６と、該駆動モータ１０６により回転され、外周面に各種図柄１１４Ａが表示された図柄表示体としての第１図柄ドラム１０７とを備えている。ここで、駆動モータ１０６は、原位置検出センサ(図示せず)を内蔵したステッピングモータであって、その駆動軸１０６Ａには、該駆動軸１０６Ａと一体的に回転する円盤状部材１０８が取り付けられている。この円盤状部材１０８には、駆動軸１０８Ａから偏心した位置に、突出した位置決め突部１０８Ａが形成されている。
【００４１】
(第１図柄ドラム)
第１図柄ドラム１０７は、図２９、図３０および図３６に示すように、駆動モータ１０６の円盤状部材１０８に固定される固定板１１０と、該固定板１１０に連設され、当該固定板１１０から離間する方向に所定長さに延在すると共に回転中心から放射方向へ向けて屈曲された複数本(実施例では６本)のスポーク１１１と、各スポーク１１１の放射側端部に連設される第１環状体１１２と、該第１環状体１１２と同径に形成されて軸方向に離間する第２環状体１１３と、該第１管状体１１２および第２環状体１１３の周縁部に取り付けられて第１図柄ドラム１０７の外周面をなし、識別可能な複数種類の図柄１１４Ａが表示された光透過性の図柄フィルム１１４とから構成されている。このような第１図柄ドラム１０７は、駆動モータ１０６の回転により固定板１１０が回転することで、図柄フィルム１１４に表示された図柄１１４Ａが周方向に移動するようになっている。ここで、固定板１１０には、各環状体１１３,１１４の中心に整列する位置に通孔１１０Ａが穿設されると共に、偏心位置に円盤状部材１０８に形成された位置決め突部１０８Ａが挿入する位置決め孔１１０Ｂが開口形成されており、駆動軸１０６Ａを固定板１１０の通孔１１０Ａに挿入すると共に円盤状部材１０８の位置決め突部１０８Ａを該固定板１１０の位置決め孔１１４Ｂに挿入した状態で、第１図柄ドラム１０７と駆動軸１０６Ａとがネジ止めされる。従って、駆動モータ１０６と第１図柄ドラム１０７とを組み付けた際には、該駆動モータ１０６に内蔵した原位置検出センサと第１図柄ドラム１０７に表示された図柄１１４Ａとが常に一定関係となり、該原位置検出センサの検出に基づいて駆動モータ１０６を駆動制御することで、各図柄１１４Ａを所定位置で停止させ得る。
【００４２】
(支持板)
支持板１０５は、図２９および図３０に示すように、所要の配線パターンがプリントされると共に、表面(第１図柄ドラム１０７に対向する面)に各種電装部品が配設されたプリント配線板１１５と、該プリント配線板１１５と略整合する形状に形成されたベース板金１１６と、プリント配線板１１５とベース板金１１６との間に配設され、該プリント配線板１１５の裏面とベース板金１１６との接触を防止する保護フィルム１１７とを備えており、プリント配線板１１５およびベース板金１１６は保護フィルム１１７を挟んで整合させた状態でネジ固定される。ここで、プリント配線板１１５には、その略中央位置に表裏面に貫通する開口部１１５Ｂが開設されると共に、保護フィルム１１７には、その略中央位置に表裏面に貫通する開口部１１７Ａが開設され、ベース板金１１６には、各開口部１１５Ｂ,１１７Ａと対応する位置に駆動モータ１０６の設置部１１６Ｂが形成されている。従って、駆動モータ１０６をベース板金１１６の設置部１１６Ｂにネジにより固定した際には、該駆動モータ１０６が、開口部１１ＢＡ,１１７Ａに挿通されてプリント配線板１１５の表面側(右側)に露出するようになっている(図６参照)。なお、保護フィルム１１７は、電気を通さない非導電材から形成されている。
【００４３】
プリント配線板１１５およびベース板金１１６の各前端縁１１５Ａ,１１６Ａは、上下方向の略中央に向かうにつれて前側に突出して第１図柄ドラム１０７に倣う円弧状の円弧状に形成されている。ここで、プリント配線板１１５およびベース板金１１６の前端縁１１５Ａ,１１６Ａは、第１図柄ドラム１０７より小さい曲率となるよう設定され、駆動モータ１０６に第１図柄ドラム１０７を取り付けた状態で、前端縁１１５Ａ,１１６Ａより第１図柄ドラム１０７の外周面の方が外側に位置するようになっている。そして、各前端縁１１５Ａ,１１６Ａは、後述するガイド部材１３１で覆われるようになっている。一方、プリント配線板１１５およびベース板金１１６の各後端縁１１５Ｃ,１１６Ｃは、略垂直に延在する直線状に形成されており、ドラムケース１０３の後壁部２３３の前面に当接するようになっている(図３５、図３６参照)。
【００４４】
図２９または図３０に示すように、プリント配線板１１５には、前端縁１１５Ａに近傍する前側上下位置に第１嵌挿孔１１８,１１８が夫々形成されると共に、ベース板金１１６には、プリント配線板１１５の第１嵌挿孔１１８,１１８に臨む第１ネジ孔１１９,１１９が形成されている。また、図２９、図３０、図３５および図３６に示すように、ベース板金１１６の後端縁１１６Ｃにおける上部および下部には、第２ネジ孔１２０Ａを形成した第１固定片(連結部)１２０が、該後端縁１１６Ｃから右方に折曲した状態に形成されており、ドラムケース１０３に当該第１図柄表示ユニット１００を収容した状態で、該ドラムケース１０３の外側から第２ネジ孔１２０Ａへネジを締結し得るように構成されている。また、ベース板金１１６における後端縁１１６Ｃ上部から前上方に向け傾斜する上傾斜端縁１１６Ｄには、第３ネジ孔１２１Ａを形成した第２固定片(連結部)１２１が、該上傾斜端縁１１６Ｄから右方に折曲した状態に形成されており、ドラムケース１０３に当該第１図柄表示ユニット１００を収容した状態で、該ドラムケース１０３の外側から第３ネジ孔１２１Ａへネジを締結し得るように構成されている。更に、ベース板金１１６における後端縁１１６Ｃ下部から前下方に向け傾斜する下上傾斜端縁１１６Ｅには、第４ネジ孔１２２Ａを形成した第３固定片(連結部)１２２が、該上傾斜端縁１１６Ｅから左方に折曲した状態に形成されており、ドラムケース１０３に当該第１図柄表示ユニット１００を収容した状態で、該ドラムケース１０３の外側から第４ネジ孔１２２Ａへネジを締結し得るように構成されている。すなわち、第２固定片１２１および第３固定片１２２は、ベース板金１１６を挟んで左右逆向きに折曲形成されている。
【００４５】
また、図２９および図３６に示すように、プリント配線板１１５の表面には、電装部品として、第１図柄ドラム１０７の図柄１１４Ａを内側から照明する照明手段１２６や、統括制御装置３０１に接続されてドラムケース１０３の上壁部２３４に位置する中継基板２５５(図１６参照)からの配線が着脱可能に接続される第１コネクタ接続端子１２４や、駆動モータ１０６に接続された配線(図示せず)が着脱可能に接続される第２コネクタ接続端子１２５が夫々配設されている。これにより、中継基板２５５および駆動モータ１０６の夫々の配線を対応のコネクタ接続端子１２４,１２５に各々接続することで、照明手段１２６および駆動モータ１０６が該中継基板２５５を介して統括制御装置３０１に電気的に接続される。なお、第１コネクタ接続端子１２４は、コネクタ差込み口が略下方を向く姿勢でプリント配線板１１５の後端縁に臨むように設置され、当該第１図柄表示ユニット１００をドラムケース１０３に収容した際に、該ドラムケース１０３に開設された第１通出孔２５０から外方に臨むよう構成されると共に、第２コネクタ接続端子１２５は、部品リードがプリント配線板１１５の裏面に突出することのない表面実装により第１図柄ドラム１０７の内側に位置するよう設置される(図３６参照)。なお、表面実装とは、プリント配線板１１５の表面に各種電子部品をハンダ付けする技術を云う。
【００４６】
(照明手段)
照明手段１２６は、図６および図２９に示すように、プリント配線板１１５における開口部１１５Ｂと前端縁１１５Ａとの間に設置されており、該前端縁１１５Ａに沿ってプリント配線板１１５の表面に円弧状に配設される複数(実施例では９個)のＬＥＤ１２７と、該ＬＥＤ１２７から照射された光を受けて前方(第１図柄ドラム１０７の内面側)へ反射するリフレクタ部材１２８とから構成される。各ＬＥＤ１２７は、第２コネクタ接続端子１２５と同様に、部品リードがプリント配線板１１５の裏面に突出しない表面実装により、第１図柄ドラム１０７の軸方向(プリント配線板１１５に対して略直交する方向)に光を照射する姿勢で設置されている。
【００４７】
リフレクタ部材１２８は、図６、図２９および図３０に示すように、第１図柄ドラム１０７に倣うよう湾曲して第１図柄ドラム１０７の全幅の約１／２の幅で該図柄フィルム１１４に対向する後反射面１２８Ａと、該後部反射面１２８Ａの右側縁(プリント配線板１１５から離間する端縁)に連設して、第１図柄ドラム１０７の第１環状体１１２に向かって拡がりながら該第１図柄ドラム１０７に倣って円弧状に湾曲する側部反射面１２８Ｂと、後部反射面１２８Ａおよび側部反射面１２８Ｂの上下端に連接して第１図柄ドラム１０７の軸方向に拡がりながら前側(第１図柄ドラム１０７の周面側)に延出する上部反射面１２８Ｃおよび下部反射面１２８Ｄとを備え、ＬＥＤ１２７から照射された光を受けて各反射面１２８Ａ〜１２８Ｄが面発光するよう構成されている。第１図柄ドラム１０７の周方向における上部反射面１２８Ｃの先端と下部反射面１２８Ｄの先端との間隔は、３つの図柄１１４Ａの表示間隔と同等に設定されている。また、後部反射面１２８Ａと側部反射面１２８Ｂとの前面には、上部反射面１２８Ｃと下部反射面１２８Ｄとの間を３つの照射空間に区画する２つの区画壁１２８Ｅ,１２８Ｅが、図柄フィルム１１４の裏面に近接する位置まで立設されており、３つの各照射空間には、ＬＥＤ１２７が３個ずつ配置されている。従って、３個のＬＥＤ１２７により、照射空間の前側に位置する図柄１１４Ａの後面を照射するようになっている。
【００４８】
また、図２９および図３０に示すように、上部反射面１２８Ｃおよび下部反射面１２８Ｄにおけるプリント配線板１１５側の後側には、後方へ向けて延出する取着片１２９,１２９が夫々形成されている。各取着片１２９には、プリント配線板１１５に形成した第１嵌挿孔１１８,１１８対応する位置に、プリント配線板１１５側に突出するボス部１２９Ａが夫々形成されており、各第１嵌挿孔１１８に対してプリント配線板１１５の表面側からボス部１２９Ａを嵌挿し得るようになっている。ここで、各ボス部１２９Ａには、第１嵌挿孔１１８に挿通した状態で、ベース板金１１６の第１ネジ孔１１９と整列する位置に、ネジを挿通可能な通孔が形成されており、該通孔に挿通したネジを第１ネジ孔１１９に夫々螺挿することで、リフレクタ部材１２８がベース板金１１６に固定されるようになっている。
【００４９】
(ガイド部材)
図１７、図１８、図２９および図３０に示すように、プリント配線板１１５の表面側には、該プリント配線板１１５およびベース板金１１６の各前端縁１１５Ａ,１１６Ａを被覆するガイド部材１３１が配設されている。ガイド部材１３１は、合成樹脂により形成され、プリント配線板１１５およびベース板金１１６の円弧状の前端縁１１５Ａ,１１６Ａに整合する円弧状に形成されたガイド部１３２と、ガイド部１３２の内側に離間した位置において該ガイド部１３２に沿って円弧状に形成され、上端および下端において該ガイド部１３２に連設された装着部１３３とを備えている。装着部１３３は、プリント配線板１１５の表面に当接するよう平坦に形成され、該装着部１３３とガイド部１３２との間に前述した各ＬＥＤ１２７が位置するようになっている。また、装着部１３３の上部および下部には、プリント配線板１１５に形成した第１嵌挿孔１１８に整合すると共に、リフレクタ部材１２８のボス部１２９Ａの嵌挿を許容する大きさの第２嵌挿孔１３４,１３４が形成されている。従って、各第２嵌挿孔１３４が各第１嵌挿孔１１８に整合するように装着部１３３をプリント配線板１１５の表面に位置決めして、リフレクタ部材１２８の各ボス部１２９Ａを第２嵌挿孔１３４および第１嵌挿孔１１８に嵌挿させ、ボス部１２９Ａの通孔に挿通したネジをベース板金１１６の第１ネジ孔１１９に螺挿することにより、ガイド部材１３１は、リフレクタ部材１２８およびプリント配線板１１５に挟まれた状態で支持板１０５に固定される。そして、プリント配線板１１５およびベース板金１１６の各前端縁１１５Ａ,１１６Ａは、ガイド部材１３１により隠されて、ドラム式図柄表示ユニットＨの前側から見えなくなる(図１７、図１８)。
【００５０】
(第１ガイド部)
ガイド部材１３１に設けられた第１ガイド部としてのガイド部１３２は、図２１、図２２、図２５および図２６に示すように、半円弧状に延在形成され、当該ガイド部材１３１を支持板１０５に取り付けた際には、駆動モータ１０６の駆動軸１０６Ａの軸中心(第１図柄ドラム１０７の回転中心)に中心が一致した状態で、プリント配線板１１５およびベース板金１１６の各前端縁１１５Ａ,１１６Ａに沿って配置される。そして、ガイド部１３２は、該ガイド部１３２の外面に開口すると共に長手方向に延在するガイド溝１３２Ａが形成されている。ガイド部１３２のガイド溝１３２Ａには、図１７、図１９、図２１および図３７等に示すように、シャッタユニット１０２を構成するシャッタ体１８１,１８２の裏面に突設された第２ガイド部としてのガイド片２２０,２２０が、外方から差し込まれた状態で摺動するよう構成されている。すなわち、ガイド部１３２は、シャッタユニット１０２の各シャッタ体１８１,１８２が第１図柄ドラム１０７の外周に沿って移動する際に、該シャッタ体１８１,１８２を支持するよう構成されている。
【００５１】
(第２図柄表示ユニット)
図３１および図３２に示すように、第２図柄表示ユニット１０１は、ドラムケース１０３に保持される支持板１４５と、該支持板１４５に配設されて統括制御装置３０１からの制御信号により駆動制御される駆動モータ１４６と、該駆動モータ１４６により回転され、外周面に各種図柄が表示された図柄ドラム(以降「第２図柄ドラム」という)１４７とを備えている。ここで、駆動モータ１４６は、原位置検出センサ(図示せず)を内蔵したステッピングモータであって、その駆動軸１４６Ａには、該駆動軸１４６Ａと一体的に回転する円盤状部材１４８が取り付けられている。この円盤状部材１４８には、駆動軸１４６Ａから偏心した位置に、突出した位置決め突部１４８Ａが形成されている。
【００５２】
(第２図柄ドラム)
第２図柄ドラム１４７は、図２９または図３０に示すように、駆動モータ１４６の円盤状部材１０８に固定される固定板１５０と、該固定板１５０に連設され、当該固定板１５０から離間する方向に所定長さに延在すると共に回転中心から放射方向へ向けて屈曲された複数本(実施例では６本)のスポーク１５１と、各スポーク１５１の放射側端部に連設される第１環状体１５２と、該第１環状体１５２と同径に形成されて軸方向に離間する第２環状体１５３と、該第１環状体１５２および第２環状体１５３の周縁部に取り付けられて第２図柄ドラム１４７の外周面をなし、識別可能な複数種類の図柄１５４Ａが表示された光透過性の図柄フィルム１５４とから構成されている。このような第２図柄ドラム１４７は、駆動モータ１４６の回転により固定板１５０が回転することで、図柄フィルム１５４に表示された図柄１５４Ａが周方向に移動するようになっている。ここで、固定板１５０には、各環状体１５２,１５３の中心に整列する位置に通孔１５０Ａが穿設されると共に、偏心位置に円盤状部材１４８に形成された位置決め突部１４８Ａが挿入する位置決め孔１５４Ｂが開口形成されており、駆動軸１４６Ａを固定板１５０の通孔１５０Ａに挿入すると共に円盤状部材１４８の位置決め突部１４８Ａを固定板１５０の位置決め孔１５０Ｂに挿入した状態で、第２図柄ドラム１４７と駆動軸１４６Ａとがネジ止めされる。従って、駆動モータ１４６と第２図柄ドラム１４７とを組み付けた際には、該駆動モータ１４６に内蔵した原位置検出センサと第２図柄ドラム１４７に表示された図柄１５４Ａとが常に一定関係となり、該原位置検出センサの検出に基づいて駆動モータ１４６を駆動制御することで、各図柄１５４Ａを所定位置で停止させ得る。
【００５３】
(支持板)
支持板１４５は、図３１および図３２に示すように、所要の配線パターンがプリントされると共に、表面(第２図柄ドラム１４７に対向する面)に各種電装部品が配設されたプリント配線板１５５と、前半分がプリント配線板１５５と略整合する形状で後半分が該プリント配線板１５５より大きく形成されたベース板金１５６と、プリント配線板１５５とベース板金１５６との間に配設され、該プリント配線板１５５の裏面とベース板金１５６との接触を防止する保護フィルム１５７とを備えており、プリント配線板１５５およびベース板金１５６は保護フィルム１５７を挟んで整合させた状態でネジ固定される。ここで、プリント配線板１５５には、その略中央位置に表裏面に貫通する開口部１５５Ｂが開設されると共に、保護フィルム１５７には、その略中央位置に表裏面に貫通する開口部１５７Ａが開設され、ベース板金１５６には、各開口部１５５Ｂ,１５７Ａと対応する位置に駆動モータ１４６の設置部１５６Ｂが形成されている。従って、駆動モータ１４６をベース板金１５６の設置部１５６Ｂにネジにより固定した際には、駆動モータ１４６が、開口部１５５Ｂ,１５７Ａに挿通されてプリント配線板１５５の表面側(右側)に露出するようになっている(図６参照)。なお、保護フィルム１５７は、電気を通さない非導電材から形成されている。
【００５４】
プリント配線板１５５およびベース板金１５６の各前端縁１５５Ａ,１５６Ａは、上下方向の略中央に向かうにつれて前側に突出して第２図柄ドラム１４７に倣う円弧状の円弧状に形成されている。ここで、プリント配線板１５５およびベース板金１５６の前端縁１５５Ａ,１５６Ａは、第２図柄ドラム１４７より小さい曲率となるよう設定され、駆動モータ１４６に第２図柄ドラム１４７を取り付けた状態で、前端縁１５５Ａ,１５６Ａより第２図柄ドラム１４７の外周面の方が外側に位置するようになっている。そして、各前端縁１５５Ａ,１５６Ａは、後述するカバー部材１７１で覆われるようになっている。一方、プリント配線板１５５およびベース板金１５６の各後端縁１５５Ｃ,１５６Ｃは、略垂直に延在する直線状に形成されており、ドラムケース１０３の後壁部２３３の前面に当接するようになっている(図３５参照)。
【００５５】
図３１または図３２に示すように、プリント配線板１５５には、前端縁１５５Ａに近傍する前側上下位置に第１嵌挿孔１５８,１５８が夫々形成されると共に、ベース板金１５６には、プリント配線板１５５の第１嵌挿孔１５８,１５８に臨む第１ネジ孔１５９,１５９が形成されている。また、図３１、図３２および図３５に示すように、ベース板金１５６の後端縁１５６Ｃにおける上部および下部には、第２ネジ孔１６０Ａを形成した固定片１６０が、該後端縁１５６Ｃから右方に折曲した状態に形成されており、ドラムケース１０３に当該第２図柄表示ユニット１０１を収容した状態で、該ドラムケース１０３の外側から第２ネジ孔１６０Ａへネジを締結し得るように構成されている。また、ベース板金１５６の上端縁１５６Ｄおよび下端縁１５６Ｅは、水平に延在して互いに前後方向へ平行に形成されており、図３５に示すように、ドラムケース１０３に形成された第１挟持部２４５に上端縁１５６Ｄが左右方向へ移動不能に支持されると共に、該ドラムケース１０３に形成された第２挟持部２４６に下端縁１５６Ｅが左右方向へ移動不能に支持されるようになっている。
【００５６】
また、図３１に示すように、プリント配線板１５５の表面には、電装部品として、第２図柄ドラム１４７の図柄１５４Ａを内側から照明する照明手段１６６や、統括制御装置３０１に接続されてドラムケース１０３の上部後側に位置する中継基板２５５(図１６参照)からの配線が着脱可能に接続される第１コネクタ接続端子１６４や、駆動モータ１４６に接続された配線(図示せず)が着脱可能に接続される第２コネクタ接続端子１６５が夫々配設されている。これにより、中継基板２５５および駆動モータ１４６の夫々の配線を対応のコネクタ接続端子１６４,１６５に各々接続することで、照明手段１６６および駆動モータ１４６が該中継基板２５５を介して統括制御装置３０１に電気的に接続される。なお、第１コネクタ接続端子１６４は、コネクタ差込み口が右方を向く姿勢でプリント配線板１５５の後端縁近傍に設置され、当該第２図柄表示ユニット１０１をドラムケース１０３に収容した際に、該ドラムケース１０３に開設された第２通出孔２５１(図２８参照)から外方に臨むよう構成されると共に、第２コネクタ接続端子１６５は、部品リードがプリント配線板１５５の裏面に突出することのない表面実装により第２図柄ドラム１４７の内側に位置するよう設置される。
【００５７】
(照明手段)
照明手段１６６は、図６および図３１に示すように、プリント配線板１５５における開口部１５５Ｂと前端縁１５５Ａとの間に設置されており、該前端縁１５５Ａに沿ってプリント配線板１５５の表面に円弧状に配設される複数(実施例では６個)のＬＥＤ１６７と、該ＬＥＤ１６７から照射された光を受けて前方(第２図柄ドラム１４７の内面側)へ反射するリフレクタ部材１６８とから構成される。各ＬＥＤ１６７は、第２コネクタ接続端子１６５と同様に、部品リードがプリント配線板１５５の裏面に突出しない表面実装により、第２図柄ドラム１４７の軸方向(プリント配線板１５５に対して略直交する方向)に光を照射する姿勢で設置されている。
【００５８】
リフレクタ部材１６８は、図６、図３１および図３２に示すように、第２図柄ドラム１４７に倣うよう湾曲して第２図柄ドラム１４７の全幅の約１／２の幅で該図柄フィルム１５４に対向する後部反射面１６８Ａと、該後部反射面１６８Ａの右側縁(プリント配線板１５５から離間する端縁)に連設して、第２図柄ドラム１４７の第１環状体１５２に向かって拡がりながら該第２図柄ドラム１４７に倣って円弧状に湾曲する側部反射面１６８Ｂと、後部反射面１６８Ａおよび側部反射面１６８Ｂの上下端に連接して第２図柄ドラム１４７の軸方向に拡がりながら前側(第２図柄ドラム１４７の周面側)に延出する上部反射面１６８Ｃおよび下部反射面１６８Ｄとを備え、ＬＥＤ１６７から照射された光を受けて各反射面１６８Ａ〜１６８Ｄが面発光するよう構成されている。また、後部反射面１６８Ａと側部反射面１６８Ｂとの前面には、上部反射面１６８Ｃと下部反射面１６８Ｄとの間を３つの照射空間に区画する２つの区画壁１６８Ｅ,１６８Ｅが、図柄フィルム１５４の裏面に近接する位置まで立設されており、３つの各照射空間には、ＬＥＤ１６７が２個ずつ配置されている。従って、２個のＬＥＤ１６７により、照射空間の前側に位置する図柄１５４Ａの後面を照射するようになっている。
【００５９】
また、図３１および図３２に示すように、上部反射面１６８Ｃおよび下部反射面１６８Ｄにおけるプリント配線板１５５側の後側には、後方へ向けて延出する取着片１６９,１６９が夫々形成されている。各取着片１６９には、プリント配線板１５５に形成した第１嵌挿孔１５８,１５８対応する位置に、プリント配線板１１５側に突出するボス部１６９Ａが夫々形成されており、各第１嵌挿孔１５８に対してプリント配線板１５５の表面側からボス部１６９Ａを嵌挿し得るようになっている。ここで、各ボス部１６９Ａには、第１嵌挿孔１５８に挿通した状態で、ベース板金１５６の第１ネジ孔１５９と整列する位置に、ネジを挿通可能な通孔が形成されており、該通孔に挿通したネジを第１ネジ孔１５９に夫々螺挿することで、リフレクタ部材１６８がベース板金１５６に固定される。
【００６０】
(カバー部材)
図１７、図１８、図３１および図３２に示すように、プリント配線板１５５の表面側には、該プリント配線板１５５およびベース板金１５６の各前端縁１５５Ａ,１５６Ａを被覆するカバー部材１７１が配設されている。カバー部材１７１は、合成樹脂により形成され、プリント配線板１１５およびベース板金１１６の前端縁１１５,１１６に整合する円弧状に形成された被覆部１７２と、被覆部１７２の内側に離間した位置において該被覆部１７２に沿って円弧状に形成され、上端および下端において該被覆部１７２に連設された装着部１７３とを備えている。装着部１７３は、プリント配線板１５５の表面に当接するよう平坦に形成され、該装着部１７３と被覆部１７２との間に前述した各ＬＥＤ１６７が位置するようになっている。また、装着部１７３の上部および下部には、プリント配線板１５５に形成した第１嵌挿孔１５８に整合すると共に、リフレクタ部材１６８のボス部１６９Ａの嵌挿を許容する大きさの第２嵌挿孔１７４,１７４が形成されている。従って、各第２嵌挿孔１７４が各第１嵌挿孔１５８に整合するように装着部１７３をプリント配線板１５５の表面に位置決めして、リフレクタ部材１６８の各ボス部１６９Ａを第２嵌挿孔１７４および第１嵌挿孔１５８に嵌挿させ、ボス部１６９Ａの通孔に挿通したネジをベース板金１５６の第１ネジ孔１５９に螺挿することにより、カバー部材１７１は、リフレクタ部材１６８およびプリント配線板１５５に挟まれた状態で支持板１４５に固定される。そして、プリント配線板１５５およびベース板金１５６の各前端縁１５５Ａ,１５６Ａは、カバー部材１７１により隠されて、ドラム式図柄表示ユニットＨの前側から見えなくなる(図１７、図１８)。
【００６１】
(シャッタユニット)
次に、３基の各第１図柄表示ユニット１００における各第１図柄ドラム１０７の図柄１１４Ａを被覆して隠すシャッタユニット１０２について説明する。実施例のシャッタユニット１０２は、図１７〜図２０、図２３および図２４に示すように、ドラムケース１０３内に横並びに配置された各第１図柄表示ユニット１００における各第１図柄ドラム１０７の外周外側に上下に位置して、該第１図柄ドラム１０７の周方向での幅が図柄１個分以上に形成され、各第１図柄ドラム１０７の周方向に離間して配設された一対のシャッタ体１８１,１８１を備えている。またシャッタユニット１０２は、各シャッタ体１８１,１８２を、各第１図柄ドラム１０７の外周に沿って離間させた離間位置(図１９〜図２２、図３７(ａ)参照)および該第１図柄ドラム１０７の外周に沿って近接させた近接位置(図２３〜図２６、図３７(ｂ)参照)に移動させる作動手段としての作動モータ１８３を備えている。そして、シャッタユニット１０２は、各シャッタ体１８１,１８２が離間位置に移動した場合に、各第１図柄ドラム１０７毎に、複数(実施例では３つ)の図柄１１４Ａが前述した遊技盤Ｄの表示窓口１８に表示されるようにする(図３、図３８(ｃ)参照)。またシャッタユニット１０２は、各シャッタ体１８１,１８２が近接位置に移動した場合に、該シャッタ体１８１,１８２が表示窓口１８に移動して、各第１図柄ドラム１０７毎に、各シャッタ体１８１,１８２の離間位置における図柄表示数(３つ)より少ない数(実施例では１つ)の図柄１１４Ａが該表示窓口１８に表示されるようにする(図４、図３９(ｃ)参照)。このようなシャッタユニット１０２は、ドラムケース１０３の外側に配設される金属体２３２に固定される左右一対の支持フレーム１８４,１８５により、各シャッタ体１８１,１８２の左右両側が支持された状態で該ドラムケース１０３内に配設される。なお、以下の説明において、上側に配設されたシャッタ体を第１シャッタ体１８１、下側に配設されたシャッタ体を第２シャッタ体１８２という場合もある。
【００６２】
(支持フレーム)
第１シャッタ体１８１および第２シャッタ体１８２の右側を支持する支持フレーム(以降「右支持フレーム」という)１８４は、図６に示すように、ドラムケース１０３に配設された金属体２３２に固定された状態で、右側の第１図柄表示ユニット１００の右隣り(第２図柄表示ユニット１０１の左隣り)に配置される。この右支持フレーム１８４は、図３３および図３４に示すように、金属体２３２に固定される上下に長い本体部１８６と、本体部１８６から前方へ延出して各シャッタ体１８１,１８２を支持する支持部１８７とから構成されている。そして、本体部１８６における支持部１８７より下側の部分は、作動モータ１８３が固定される設置部１８８とされている。本体部１８６は、その後端側が左方へ折曲形成されて、ドラムケース１０３の後壁部２３３に形成された第１開口２４８(図２７、図２８参照)に臨む固定片１８６Ａを備えている。固定片１８６Ａには、金属体２３２に形成された第３ネジ挿通孔２７１(図２７、図２８参照)に整合する第１ネジ孔１８９が、上下に離間して複数(実施例では２つ)形成されている。従って、第３ネジ挿通孔２７１を介して後方から挿通したネジを各第１ネジ孔１８９に螺挿することで、右支持フレーム１８４が金属体２３２に直接取り付けられる。
【００６３】
支持部１８７には、左方へ延出した第１支持軸１９０が設けられ、第１シャッタ体１８１および第２シャッタ体１８２を該第１支持軸１９０で回動可能に支持するようになっている。ここで、第１支持軸１９０の軸心は、各第１図柄表示ユニット１００の第１図柄ドラム１０７の回転中心(駆動モータ１０６の駆動軸１０６Ａ)と左右方向において同一軸線上に位置している。設置部１８８には、作動モータ１８３の駆動軸１８３Ａが挿通する軸挿通孔１９１が開設され、該作動モータ１８３が、駆動軸１８３Ａを右側から軸挿通孔１９１に挿通させた状態で該設置部１８８にネジにより固定される。また、本体部１８６の左壁面には、作動モータ１８３とドラムケース１０３の上部に配設された前述の中継基板２５５に接続される中継基板１９２が配設されている。この中継基板１９２には、作動モータ１８３からの配線(図示せず)が接続されるコネクタ接続端子や、後述するセンサ２２５からの配線(図示せず)が接続されるコネクタ接続端子が配設されている。なお、中継基板１９２には、軸挿通孔１９１と整合する開口１９２Ａが形成されており、作動モータ１８３の駆動軸１８３Ａは、該開口１９２Ａを介して中継基板１９２の左方へ延出する。
【００６４】
第１シャッタ体１８１および第２シャッタ体１８２の左側を支持する支持フレーム(以降「左支持フレーム」という)１８５は、図６に示すように、ドラムケース１０３に配設された金属板２３２に固定された状態で、左側の第１図柄表示ユニット１００の左隣りに配置される。この左支持フレーム１８５は、図３３および図３４に示すように、上下に長い本体部１８６と、本体部１９６から前方へ延出して各シャッタ体１８１,１８２を支持する支持部１９７とから構成されている。本体部１９６は、その後端側が右方へ折曲形成されて、ドラムケース１０３の後壁部２３３に形成された第２開口２４９(図２８参照)に臨む固定片１９６Ａを備えている。固定片１９６Ａには、金属体２３２に形成された第３ネジ挿通孔２７１に整合する第２ネジ孔１９８が、上下に離間して複数(実施例では２つ)形成されている。従って、第３ネジ挿通孔２７１を介して後方から挿通したネジを第２ネジ孔１９８に締結することで、左支持フレーム１８５が金属体２３２に取り付けられる。支持部１９７には、右方へ延出した第２支持軸２００が設けられ、第１シャッタ体１８１および第２シャッタ体１８２を該第２支持軸２００で回動可能に支持するようになっている。ここで、第２支持軸２００の軸心は、各第１図柄表示ユニット１００の第１図柄ドラム１０７の回転中心と左右方向において同一軸線上に位置している。
【００６５】
(第１シャッタ体)
図３３および図３４に示すように、第１シャッタ体１８１は、横並びに配置された３基の各第１図柄表示ユニット１００の第１図柄ドラム１０７を同時に隠し得る横長で、かつ各第１図柄ドラム１０７の外周に沿う曲率で湾曲した板状に形成されている。第１シャッタ体１８１の右端は、右支持フレーム１８４の第１支持軸１９０に回転可能に支持される第１右アーム２０１の先端に連結支持されると共に、該第１シャッタ体１８１の左端は、左支持フレーム１８５の第２支持軸２００に回転可能に支持される第１左アーム２０２の先端に連結支持され、当該第１シャッタ体１８１は、第１右アーム２０１および第１左アーム２０２の間に架設される。そして、第１右アーム２０１および第１左アーム２０２が第１支持軸１９０および第２支持軸２００を中心として回動することで、第１シャッタ体１８１が各第１図柄ドラム１０７の外周に沿って回転移動するようになっている。なお、第１シャッタ体１８１の表面には、所要のイラストやマーク等が表示されている。
【００６６】
図３３および図３４に示すように、第１右アーム２０１は、第１支持軸１９０が挿通する支持孔２０４が左右に貫通するよう形成され、該支持孔２０４を中心とする円形をなす円板部２０３と、該円板部２０３の外周部の一部から径方向外方へ突出して形成され、第１シャッタ体１８１の右端に連結されるシャッタ支持部２０５と、該円板部２０３の外周部の一部から径方向外方へ突出して形成され、支持孔２０４を中心とする円弧状に形成されたラックギア２０６とを備えている。ラックギア２０６は、第１右アーム２０１を第１支持軸１９０で支持した状態において、作動モータ１８３の駆動軸１８３Ａに固定された第１駆動ギア２２１と噛合するように形成されている。従って、該作動モータ１８３を正逆回転制御することにより、第１右アーム２０１が第１支持軸１９０を中心として往復回動するようになっている。一方、第１左アーム２０２は、第２支持軸２００が挿通する支持孔２０８が左右に貫通するよう形成され、該支持孔２０８を中心とする円形をなす２０７と、該円板部２０７の外周部の一部から径方向外方へ突出して形成され、第１シャッタ体１８１の左端に連結されるシャッタ支持部２０９とを備えている。従って、第１左アーム２０２は、第１右アーム２０１の往復回動に追従する第１シャッタ体１８１に従って第２支持軸２００を中心として往復回動するようになっている。
【００６７】
(第２シャッタ体)
図３３および図３４に示すように、第２シャッタ体１８２は、横並びに配置された３基の各第１図柄表示ユニット１００の第１図柄ドラム１０７を同時に隠し得る横長で、かつ各第１図柄ドラム１０７の外周に沿う曲率で湾曲した板状に形成されている。第２シャッタ体１８２の右端は、右支持フレーム１８４の第１支持軸１９０に支持される第２右アーム２１１の先端に連結支持されると共に、該第２シャッタ体１８２の左端は、左支持フレーム１８５の第２支持軸２００に支持される第２左アーム２１２の先端に連結支持され、当該第２シャッタ体１８２は、第２右アーム２１１および第２左アーム２１２の間に架設される。そして、第２右アーム２１１および第２左アーム２１２が第１支持軸１９０および第２支持軸２００を中心として回動することで、第２シャッタ体１８２が各第１図柄ドラム１０７の外周に沿って回転移動するようになっている。なお、第２シャッタ体１８２の表面には、所要のイラストやマーク等が表示されている。
【００６８】
図３３および図３４に示すように、第２右アーム２１１は、第１支持軸１９０が挿通する支持孔２１４が左右に貫通するよう形成され、該支持孔２１４を中心とする円形をなす円板部２１３と、該円板部２１３の外周部の一部から径方向外方へ突出して形成され、第２シャッタ体１８２の右端に連結されるシャッタ支持部２１５と、該円板部２０３の外周部の一部に形成され、支持孔２１４を中心とする円弧状に形成されたラックギア２１６とを備えている。ラックギア２１６は、第２右アーム２１１を第１支持軸１９０で支持した状態において、右支持フレーム１８４に回転可能に配設された中間ギア２２３を介して作動モータ１８３の駆動軸１８３Ａに固定された第２駆動ギア２２２と連係するように形成されている。従って、該作動モータ１８３を正逆回転制御することにより、第２右アーム２１１が第１支持軸１９０を中心として往復回動するようになっている。一方、第２左アーム２１２は、第２支持軸２００が挿通する支持孔２１８が左右に貫通するよう形成され、該支持孔２１８を中心とする円形をなす円板部２１７と、該円板部２１７の外周部の一部から径方向外方へ突出して形成され、第２シャッタ体１８２の左端に連結されるシャッタ支持部２１９とを備えている。従って、第２左アーム２１２は、第２右アーム２１１の往復回動に追従する第２シャッタ体１８２に従って第２支持軸２００を中心として往復回動するようになっている。
【００６９】
第１右アーム２０１と第１左アーム２０２とにより支持された第１シャッタ体１８１および第２右アーム２１１と第２左アーム２１２とにより支持された第２シャッタ体１８２は、図３７に示すように、第１支持軸１９０および第２支持軸２００を中心として各アーム２０１,２０２,２１１,２１２が回転する。従って、第１シャッタ体１８１および第２シャッタ体１８２は、図３７に示すように、第１支持軸１９０および第２支持軸２００を中心とする同一周面上を、離間位置と近接位置との間で第１図柄ドラム１０７の外周に沿って移動する。
【００７０】
(第２ガイド部)
前述した第１シャッタ体１８１および第２シャッタ体１８２は、図１７、図１８、図３３〜図３５に示すように、第１図柄ドラム１０７と対向する裏面側に、径方向内方へ突出する３つのガイド片(第２ガイド部)２２０を、左右方向に所要間隔毎に離間して備えている。各ガイド片２２０は、各第１図柄表示ユニット１００毎に設けられた各ガイド部１３２と対向する位置に、第１シャッタ体１８１または第２シャッタ体１８２の幅方向へ枠曲して延在し、該シャッタ体１８１,１８２の全幅に亘って形成されている。このような各ガイド片２２０は、対応するガイド部１３２のガイド溝１３２Ａに対して径方向外方から差し込まれ、該ガイド溝１３２Ａに沿って第１図柄ドラム１０７の外周方向への移動(摺動)が許容されると共に、該第１図柄ドラム１０７に近づく方向への移動が規制されるように係合している。従って、作動モータ１８３の作動により第１シャッタ体１８１および第２シャッタ体１８２が第１図柄ドラム１０７の周方向へ移動する際に、各ガイド片２２０が対応のガイド部１３２に沿って摺動するから、第１シャッタ体１８１または第２シャッタ体１８２が、第１図柄ドラム１０７の外周側へ移動するように撓み変形したり、左右方向において捻れ変形するのを防止するよう構成されている。
【００７１】
(作動モータ)
作動モータ１８３は、図２５、図２６、図３３および図３４に示すように、右支持フレーム１８４における設置部１８８の右側に、駆動軸１８３Ａを左方に延出させた姿勢で固定されており、中継基板１９２から左方へ延出した該駆動軸１８３Ａには、平歯車である第１駆動ギア２２１および第２駆動ギア２２２が軸方向に並んで固定されている。第１駆動ギア２２１は、第１右アーム２０１に設けられたラックギア２０６と直接に噛合している。また、第１駆動ギア２２１の左側に位置する第２駆動ギア２２２は、第１駆動ギア２２１より小径に形成され、右支持フレーム１８４に回転自在に配設された中間ギア２２３に噛合している。また中間ギア２２３は、第２右アーム２１１に設けられたラックギア２１６に噛合している。従って、作動モータ１８３を作動させると、第２駆動ギア２２２噛合した中間ギア２２３が第１駆動ギア２２１と逆方向に回転するため、第１右アーム２０１および第２右アーム２１１は逆方向に回転するようになる。すなわち、シャッタユニット１０２は、駆動軸１８３Ａの先端側から見て該駆動軸１８３Ａが右回転するよう作動モータ１８３を駆動させると、第１シャッタ体１８１と第２シャッタ体１８２とが第１図柄ドラム１０７の周方向へ互いに離間した離間位置(図１９〜図２２、図３５(ａ)参照)に移動し、駆動軸１８３Ａの先端側から見て該駆動軸１８３Ａが左回転するよう作動モータ１８３を駆動させると、第１シャッタ体１８１と第２シャッタ体１８２とが第１図柄ドラム１０７の周方向へ互いに近接した近接位置(図２３〜図２６、図３５(ｂ)参照)に移動するようになっている。
【００７２】
図２２または図２６に示すように、右支持フレーム１８４の本体部１８６の上部に、センサ２２５が配設されていると共に、第１右アーム２０１における円板部２０３の外周端には、該センサ２２５により検知される検知片２２６が設けられている。検知片２２６は、シャッタ体１８１,１８２の離間位置においてセンサ２２５により検知される位置に設けられており、検知片２２６をセンサ２２５が検知した場合には、該センサ２２５から検知信号が統括制御装置３０１に送信される。従って、統括制御装置３０１は、センサ２２５からの検知信号が入力されることで、第１シャッタ体１８１および第２シャッタ体１８２が離間位置にあることを認識する。
【００７３】
(ドラムケース)
ドラムケース１０３は、図１６、図２７および図２８に示すように、前方に向かって開口する箱状に形成されたケース体２３０と、該ケース体２３０の前方開口を覆う透明カバー体２３１とから箱状に形成され、３基の第１図柄表示ユニット１００および１基の第２図柄表示ユニット１０１を左右に横並びで収容すると共に、前述したシャッタユニット１０２を収容し得るように構成されている。透明カバー体２３１とケース体２３０とは、複数(実施例では４個)のネジにより前後に組み付けられ、各第１図柄表示ユニット１００、第２図柄表示ユニット１０１およびシャッタユニット１０２をカバーする。また、ケース体２３０には、該ケース体２３０の外面を囲繞する形状に板金形成された金属製の金属体２３２が取り付けられている。金属体２３２は、ドラムケース１０３を補強すると共に、第１図柄表示ユニット１００の駆動モータ１０６の駆動および第２図柄表示ユニット１０１の駆動モータ１４６の駆動により発生し得るノイズを低減する効果も具有する。
【００７４】
(ケース体)
ケース体２３０は、図１６、図２７、図２８、図３５および図３６に示すように、略垂直な後壁部(固定部)２３３と、前側開口に隣接する前部が水平で該前部から後壁部２３３に向けて後部が下方傾斜する上壁部(固定部)２３４と、前側開口に隣接する前部が水平で該前部から後壁部２３３に向けて後部が上方傾斜する下壁部(固定部)２３５と、上下の壁部２３４,２３５および後壁部２３３の左縁に連設された左側壁部２３６および右縁に連設された右側壁部２３７とからなり、前方の開口形状が矩形の箱状に形成される。ここで、ケース体２３０における第２図柄表示ユニット１０１が配設される右側部分は、上壁部２３４および下壁部２３５の傾斜角度が急になっていて後壁部２３３が小さくなっている。上壁部２３４の傾斜部分、下壁部２３５の傾斜部分および後壁部２３３には、スリット状の放熱孔２３８が複数形成されて、各第１図柄表示ユニット１００の駆動モータ１０６および第２図柄表示ユニット１０１の駆動モータ１４６の駆動時に発生する熱をケース外部へ放出し得るようになっている。そして、上壁部２３４、左側壁部２３６、右側壁部２３７および下壁部２３５により形成される４つの各角部には、前後に貫通した第１ネジ挿通孔２３９Ａが開設されたリブ２３９が形成されており、該ケース体２３０と透明カバー体２３１とを締結するネジ(図示せず)が該第１ネジ挿通孔２３９Ａに挿通されるようになっている。
【００７５】
(第１図柄表示ユニットの取付構造)
図２７、図２８、図３５および図３６に示すように、ケース体２３０における後壁部２３３の内面(前面)には、上壁部２３４の近接位置および下壁部２３５の近接位置に、第１図柄表示ユニット１００の支持板１４５におけるベース板金１１６に設けられた第１固定片１２０,１２０が係合する上下一対の係合支持部２４０,２４０が、３基の各第１図柄表示ユニット１００に対応するよう左右に離間して３箇所に形成されている。各係合支持部２４０は、前側から見て逆Ｌ形をなして後壁部２３３の前面から前方へ突出した突片２４０Ａと、該突片２４０Ａの下部前端から上方へ延出し、第１固定片１２０の厚みと同じ間隔で後壁部２３３から前方へ離間して位置する保持片２４０Ｂとからなり、該係合支持部２４０は、上方および左方へ開口している。従って、各第１固定片１２０は、後壁部２３３における各係合支持部２４０の上方に当接させた状態で、第１図柄表示ユニット１００を下方へ移動させることで、各係合支持部２４０における保持片２４０Ｂと後壁部２３３との間に挿入され、各係合支持部２４０に係合した各第１固定片１２０は、前後方向および右方向への移動が規制されるようになっている。また、後壁部２３３には、係合支持部２４０に係合した第１固定片１２０に形成された第２ネジ孔１２０Ａと前後に整合する第２ネジ挿通孔２４１,２４１が開設されており、ケース体２３０の後壁部２３３の後外方から該第２ネジ挿通孔２４１に挿通させたネジ(図示せず)を第２ネジ孔１２０Ａに螺挿することで、第１固定片１２０がケース体２３０に固定されるようになっている。
【００７６】
また、図２８、図３５および図３６に示すように、ケース体２３０の上壁部２３４における傾斜部分には、第１図柄表示ユニット１００の支持板１０５におけるベース板金１１６に設けられた第２固定片１２１に形成された第３ネジ孔１２１Ａと整合する第３ネジ挿通孔２４２が、３基の各第１図柄表示ユニット１００に対応するよう左右に離間して３箇所に開設されている。従って、ケース体２３０の上壁部２３４の外方から該第３ネジ挿通孔２４２に挿通させたネジ(図示せず)を第３ネジ孔１２１Ａに螺挿することで、第２固定片１２１がケース体２３０に固定されるようになっている。更に、ケース体２３０の下壁部２３５における傾斜部分には、第１図柄表示ユニット１００の支持板１０５におけるベース板金１１６に設けられた第３固定片１２２に形成された第４ネジ孔１２２Ａと整合する第４ネジ挿通孔２４３が、３基の各第１図柄表示ユニット１００に対応するよう左右に離間して３箇所に開設されている。従って、ケース体２３０の下壁部２３５の外方から該第４ネジ挿通孔２４３に挿通させたネジ(図示せず)を第４ネジ孔１２２Ａに螺挿することで、第３固定片１２２がケース体２３０に固定されるようになっている。
【００７７】
従って、３基の第１図柄表示ユニット１００は、各第１固定片１２０を対応する係合支持部２４０に係合させると共にネジにより後壁部２３３に固定し、第２固定片１２１および第３固定片１２２を各々ネジにより上壁部２３４および下壁部２３５に固定することで、支持板１０５の後部がケース体２３０に強固に固定される。特に、第１固定片１２０および第２固定片１２１と第３固定片１２２とが、支持板１０５を挟んで左右に位置しているから、ケース体２３０に固定された第１図柄表示ユニット１００は、前側が左右方向へ変位することが規制され、隣接する第１図柄表示ユニット１００が接触することが防止されるようになっている。なお、ケース体２３０に取付固定された３基の第１図柄表示ユニット１００は、各第１図柄ドラム１０７の回転中心を左右の同一軸線上に整列させた状態で横並びになっている(図６、図１７、図１８参照)。
【００７８】
(第２図柄表示ユニットの取付構造)
図２７および図３５に示すように、ケース体２３０における上壁部２３４の前部下面には、第２図柄表示ユニット１０１の支持板１４５を該上壁部２３４に保持する第１挟持部２４５が設けられると共に、下壁部２３５の前部上面には、該支持板１４５を該下壁部２３５に保持する第２挟持部２４６が設けられている。第１挟持部２４５は、第２図柄表示ユニット１０１におけるベース板金１５６の厚み寸法と略同一の間隔で左右に離間した設けられた左右一対の挟持リブ２４５Ａ,２４５Ａから構成されている。各挟持リブ２４５Ａ,２４５Ａは、上壁部２３４の下面から下方へ突出すると共に前後方向へ平行に延在しており、第２図柄表示ユニット１０１におけるベース板金１５６の上端縁１５６Ｄが、両挟持リブ２４５Ａ,２４５Ａ間に前側から差し込み可能となっている。一方、第２挟持部２４６は、第２図柄表示ユニット１０１におけるベース板金１５６の厚み寸法と略同一の間隔で左右に離間した設けられた左右一対の挟持リブ２４６Ａ,２４６Ａから構成されている。各挟持リブ２４６Ａ,２４６Ａは、下壁部２３５の上面から上方へ突出すると共に前後方向へ平行に延在しており、第２図柄表示ユニット１０１におけるベース板金１５６の下端縁１５６Ｅが、両挟持リブ２４６Ａ,２４６Ａ間に前側から差し込み可能となっている。従って、第１挟持部２４５および第２挟持部２４６に対して前側から差し込まれた第２図柄表示ユニット１０１のベース板金１５６は、左右方向へ移動が規制された状態でケース体２３０に保持される。
【００７９】
また、図２８に示すように、ケース体２３０の後壁部２３３における右側部分には、第２図柄表示ユニット１０１の支持板１４５におけるベース板金１５６に設けられた各固定片１６０に形成された第２ネジ孔１６０Ａと整合する第５ネジ挿通孔２４７が、上下に離間した２箇所に開設されている。従って、ケース体２３０の後壁部２３３の外方から該第５ネジ挿通孔２４７に挿通させたネジ(図示せず)を第２ネジ孔１６０Ａに螺挿することで、固定片１６０がケース体２３０に固定されるようになっている。
【００８０】
従って、第２図柄表示ユニット１０１は、第１挟持部２４５および第２挟持部２４６にベース板金１５６の上端縁１５６Ｄおよび下端縁１５６Ｅを各々差し込むと共に、固定片１６０をネジにより後壁部２３３に固定することで、ベース板金１５６の上部、下部および後部がケース体２３０に強固に固定される。すなわち、ベース板金１５６の３箇所がケース体２３０に保持されるから、ケース体２３０に固定された第２図柄表示ユニット１０１は、前側が左右方向へ変位することが規制される。なお、ケース体２３０に取付固定された第２図柄表示ユニット１０１は、第２図柄ドラム１４７の回転中心が、第１図柄表示ユニット１００の第１図柄ドラム１０７の回転中心より、前方かつ下方に位置している(図６、図１７、図１８参照)。
【００８１】
ケース体２３０に取り付けられた３基の各第１図柄表示ユニット１００と第２図柄表示ユニット１０１は、第１図柄ドラム１０７と第２図柄ドラム１４７との外径が異なると共に、第１図柄ドラム１０７と第２図柄ドラム１４７の回転中心も異なっている。従って、実施例のドラム式図柄表示装置Ｈは、主制御装置３００における大当り抽選の結果を表示する各第１図柄表示ユニット１００と、該主制御装置３００における大当り抽選の結果や第１図柄表示ユニット１００の動作態様(演出内容)を示唆する第２図柄表示ユニット１０１との役割が異なっていることが明確になるように構成され、遊技者に混乱を与えないよう考慮されている。そして、図６および図１８に示すように、各第１図柄表示ユニット１００の第１図柄ドラム１０７の外周における最前位置と第２図柄表示ユニット１０１の第２図柄ドラム１４７の外周における最前位置とが略同じであり、図３および図４に示すように、第２図柄ドラム１４７が見難くならないようになっている。
【００８２】
(ケース体のその他の構成)
図２７および図２８に示すように、ケース体２３０の後壁部２３３における右側壁部２３７側には、シャッタユニット１０２を支持する右支持フレーム１８４の固定片１８６Ａをケース外方へ臨ませる第１開口２４８が開設されていると共に、後壁部２３３における左側壁部２３６側には、前述したように、シャッタユニット１０２を支持する左支持フレーム１８５の固定片１９６Ａをケース外方へ臨ませる第２開口２４９が開設されている。また、ケース体２３０の下壁部２３５における後壁部２３３の近接位置には、左右方向に離間する３箇所に第１通出孔２５０が夫々開設されており、各第１図柄表示ユニット１００をケース体２３０内に固定した際に、該第１図柄表示ユニット１００の支持板１０５(プリント配線板１１５)に設けた第１コネクタ接続端子１２４が、第１通出孔２５０を介してケース外方に臨むようになっている。更に、ケース体２３０の後壁部２３３における右側には、第２通出孔２５１が開設されており、第２図柄表示ユニット１０１をケース体２３０内に固定した際に、該第２図柄表示ユニット１０１の支持板１４５(プリント配線板１５５)に設けた第１コネクタ接続端子１６４が、第２通出孔２５１を介してケース外方に臨むようになっている。
【００８３】
また、図２８および図３６に示すように、ケース体２３０の上壁部２３４における傾斜部分の前縁には、左右方向に離間する２箇所に第１差し込み孔２５２が開設されると共に、図２７および図３６に示すように、下壁部２３５における傾斜部分の前縁には、左右方向に離間する３箇所に第２差し込み孔２５３が開設されている。各第１差し込み孔２５２には、金属体２３２に形成された上差し込み片２７３が差し込まれ、各第２差し込み孔２５３には、該金属体２３２に形成された下差し込み片２７５が差し込まれるようになっている。更に、図２８に示すように、ケース体２３０の後壁部２３３には、金属体２３２を該後壁部２３３に固定するネジ(図示せず)が螺挿される複数(実施例では４つ)のネジ孔２５４が形成されている。
【００８４】
また、図２８に示すように、ケース体２３０の上壁部２３４における傾斜部分の右側部分には、中継基板２５５が保持された基板ケース２５６が設置されるようになっている。ケース体２３０には、基板ケース２５６を固定する手段として、上壁部２３４の傾斜部分において左右方向に離間する２箇所に開設された係合孔２５７,２５７と、後壁部２３３の上部から上壁部２３４の後縁に突出して、左右方向に離間する２箇所に設けられた係合爪２５８,２５８とを備えている。各係合孔２５７には、基板ケース２５６の前端に前方へ延出するように形成された各係合突部２５９,２５９が、後方から差し込まれるように構成されている。また、各係合爪２５８は、上端が前後方向に移動するよう弾性変形が可能となっており、基板ケース２５６の後端部２５６Ａに係脱可能に係合するようになっている。従って中継基板２５５は、係合突部２５９と係合孔２５７との係合および係合爪２５８と基板ケース２５６の後端部２５６Ａとの係合により、基板ケース２５６に保持された状態でケース体２３０に固定される(図１６(ｂ)参照)。
【００８５】
(中継基板)
前述した中継基板２５５は、３基の第１図柄表示ユニット１００、第２図柄表示ユニット１０１およびシャッタユニット１０２と、前述した統括制御装置３０１とを、電気的に接続する基板である。図１６(ｂ)に示すように、中継基板２５５の上面左端には、統括制御装置３０１に接続される配線のコネクタ(図示せず)が接続される第１コネクタ接続端子２６０が、差込み口が左方に向いた姿勢で配設されている。また、中継基板２５５の上面後端には、左側および中央の各第１図柄表示ユニット１００に各々接続される配線が纏められたコネクタ(図示せず)が接続される第２コネクタ接続端子２６１と、右側の第１図柄表示ユニット１００および第２図柄表示ユニット１０１に各々接続される配線が纏められたコネクタ(図示せず)が接続される第３コネクタ接続端子２６２と、シャッタユニット１０２に接続される配線が纏められたコネクタ(図示せず)が接続される第４コネクタ接続端子２６３とが配設されている。
【００８６】
(金属体)
金属体２３２は、図２７、図２８および図３６に示すように、金属板をプレス成形により折曲形成した部材であって、ケース体２３０の後壁部２３３に対応する後板部２６５と、上壁部２３４の傾斜部分に対応する上傾斜部２６６と、下壁部２３５の傾斜部分に対応する下傾斜部２６７とからなり、前方に行くにつれて上下に拡開する形状となっている。そして、金属体２３２は、ケース体２３０に配設した際には、上壁部２３４の傾斜部分、後壁部２３３および下壁部２３５の傾斜部分に沿って保持され(図１６(ｂ)参照)、該ケース体２３０を補強するようになっている。
【００８７】
後板部２６５は、図１６(ｂ)、図２７および図２８に示すように、ケース体２３０の後壁部２３３の形状に合わせて横長の略矩形に形成されており、後壁部２３３に形成された放熱孔２３８と対応する部位には、複数(実施例では６つ)の第１開口２６８が形成されており、該放熱孔２３８を介した熱の排出を阻害しないようになっている。後板部２６５には、後壁部２３３に形成された各第２ネジ挿通孔２４１と前後に整合する第１ネジ挿通孔２６９が形成されており、該第１ネジ挿通孔２６９および第２ネジ挿通孔２４１に後方から挿通したネジを、第１図柄表示ユニット１００のベース板金１１６における第１固定片１２０に設けられた第２ネジ孔１２０Ａに螺挿することで、金属体２３２と各第１図柄表示ユニット１００とが後壁部２３３を挟んで締結されるようになっている。また、後板部２６５には、後壁部２３３に形成された各ネジ孔２５４と前後に整合する第２ネジ挿通孔２７０が形成されており、該第２ネジ挿通孔２７０に後方から挿通したネジを各ネジ孔２５４に螺挿することで、当該金属体２３２がケース体２３０に固定される。更に、後板部２６５には、後壁部２３３に形成された第１開口２４８および第２開口２４９に臨む位置に、右支持フレーム１８４に形成された第１ネジ孔１８９,１８９および左支持フレーム１８５に形成された第２ネジ孔１９８,１９８と前後に整合する４つの第３ネジ挿通孔２７１が開設されており、該第３ネジ挿通孔２７０に後方から挿通したネジを各第１ネジ孔１８９および第２ネジ孔１９８に螺挿することで、当該金属体２３２に右支持フレーム１８４および左支持フレーム１８５が固定される。従って、後板部２６５は、複数のネジによりケース体２３０の後壁部２３３に強固に固定される。
【００８８】
上傾斜部２６６は、図１６(ｂ)、図２７および図２８に示すように、左右方向の幅が後板部２６５の１／２以下であり、中継基板２５５が固定される部分を除く傾斜部分に沿うように後板部２６５の左側に偏った位置に形成されている。上傾斜部２６６には、上壁部２３４に形成された放熱孔２３８と対応する部位に第２開口２７２が形成されており、該放熱孔２３８を介した熱の排出を阻害しないようになっている。また、上傾斜部２６６の上端には、左右方向に離間した２つの上差し込み片２７３が前方に延出して形成されており、各上差し込み片２７３は、ケース体２３０の上壁部２３４に形成された前述の各第１差し込み孔２５２に対し後方から各々差し込み可能となっている(図３６参照)。
【００８９】
下傾斜部２６７は、図１６(ｂ)、図２７および図２８に示すように、左右方向の幅が後板部２６５より小さく、ケース体２３０の下壁部２３５における傾斜部分に沿うように形成されている。下傾斜部２６７には、下壁部２３５に形成された放熱孔２３８と対応する部位に第３開口２７４が形成されており、該放熱孔２３８を介した熱の排出を阻害しないようになっている。また、下傾斜部２６７の下端には、左右方向に離間した３つの下差し込み片２７５が前方に延出して形成されており、各下差し込み片２７５は、ケース体２３０の下壁部２３５に形成された前述の第２差し込み孔２５３に対し後方から各々差し込み可能となっている(図３６参照)。
【００９０】
(透明カバー体)
ドラムケース１０３を構成する透明カバー体２３１は、図１６(ａ)、図２７および図２８に示すように、各第１図柄表示ユニット１００の第１図柄ドラム１０７および第２図柄表示ユニット１０１の第２図柄ドラム１４７を透視可能にケース体２３０の前方開口を覆い、前向きに凸円弧形に膨出する形状をなす前面部２７８と、該前面部２７８の左右端縁に連設されて垂直に延在する左側壁部２７９および右側壁部２８０と、前面部２７８の上下部および左右の側壁部２７９,２８０の後部に連設された矩形の枠状部２８１とからなり、透明合成樹脂材により後側に開放する箱蓋形に形成されている。透明カバー体２３１は、前述したケース体２３０と前後に組み付けた際に、枠状部２８１が該ケース体２３０の前端外周囲を囲繞するよう構成される。そして、枠状部２８１の内側における上下および左右の４つの各角部には、後方へ開口したネジ孔２８２が形成されており、各ネジ孔２８２は、ケース体２３０に形成された前述の各第１ネジ挿通孔２３９Ａと前後で各々整合するようになっている。従って、透明カバー体２３１とケース体２３０とは、各ネジ挿通孔２３９Ａを介して各ネジ孔２８２にネジを螺挿することで、３基の各第１図柄表示ユニット１００、第２図柄表示ユニット１０１およびシャッタユニット１０２を収納した状態で前後に締結される。
【００９１】
前面部２７８は、図１６(ａ)、図２７および図２８に示すように、３基の各第１図柄表示ユニット１００における第１図柄ドラム１０７の前側に位置する第１透視面２７８Ａと、第２図柄表示ユニット１０１における第２図柄ドラム１４７の前側に位置する第２透視面２７８Ｂとからなる。第１透視面２７８Ａは、第１図柄表示ユニット１００の各第１図柄ドラム１０７の外面に沿って所要間隔に離間した位置で延在するよう曲面に形成されている(図３６参照)。また、第２透視面２７８Ｂは、第２図柄表示ユニット１０１の第２図柄ドラム１４７の外面に沿って所要間隔に離間した位置で延在するよう曲面に形成されており、第２透視面２７８Ｂは第１透視面２７８より小さい曲率半径で湾曲している。ここで、前面部２７８の第１透視面２７８Ａは、図３６に示すように、各第１図柄ドラム１０７の外周面との間に、シャッタユニット１０２における第１シャッタ体１８１および第２シャッタ体１８２の移動領域を確保するように形成されている。また、左右の側壁部２７９,２８０は、その内面が波板状に形成されて照射光を拡散し得るようになっている。
【００９２】
(第１引掛け部および第２引掛け部)
透明カバー体２３１における左側壁部２３６には、図１６、図２７および図２８に示すように、上下に離間する２箇所に、前述した第１引掛け部２８４,２８４が左外方へ突出して形成されており、設置部材３５の左設置台部４５に形成された係合口４６,４６に各々係脱可能に係合する。各第１引掛け部２８４,２８４は、突出端の前縁および上下縁が各々曲面に形成されており、対応する係合口４６,４６に右側方から対し差し込み易くなっている。また、透明カバー体２３１における右側壁部２３７には、上下に離間する２箇所に、前述した第２引掛け部２８５,２８５が左外方へ突出して形成されており、設置部材３５の右設置台部４７に形成された係合凹部４８,４８に各々係脱可能に係合する。各第２引掛け部２８５,２８５は、後面２８５Ａが左右かつ垂直な平坦面に形成されており、該後面２８５Ａの全面が前述した規制部材５５の当受け部６２と面接触するよう構成されている。また、各第２引掛け部２８５,２８５は、突出端の前縁および上下縁が各々曲面に形成されており、対応する係合凹部４８,４８に対し後方から係合させ易くなっている。
【００９３】
前述のように構成された透明カバー体２３１は、図７に示すように、各第１引掛け部２８４を対応する各係合口４６に各々差し込んで係合させると共に、各第２引掛け部２８５を対応する各係合凹部４８に各々係合させた後、図１１〜図１３に示すように、規制部材５５を規制位置にスライド移動させることで、設置開口３６内に位置決めされた状態で設置部材３５に固定される。そして、透明カバー体２３１の枠状部２８１は、設置開口３６の開口サイズに比べて、左右方向および上下方向の寸法が僅かに小さく設定されており、図６に示すように、設置部材３５に固定された状態においては、設置開口３６の外周縁との間に僅かな隙間２８６が形成されるようになっている。
【００９４】
(実施例の作用)
実施例のパチンコ機Ｐにおけるドラム式図柄表示装置Ｈは、第１図柄表示ユニット１００、第２図柄表示ユニット１０１およびシャッタユニット１０２をドラムケース１０３のケース体２３０に固定するに先立ち、該ケース体２３０の外側に金属体２３２を取り付ける。すなわち、金属体２３２は、図２７、図２８および図３６に示すように、上傾斜部２６６に設けられた各上差し込み片２７３を、ケース体２３０の上壁部２３４に設けられた各第１差し込み孔２５２に差し込むと共に、下傾斜部２６７に設けられた各下差し込み片２７５を、ケース体２３０の下壁部２３５に設けられた各第２差し込み孔２５３に差し込み、後板部２６５をケース体２３０の後壁部２３３にネジにより固定する。これにより金属体２３２は、後板部２６５がケース体２３０の後壁部２３３に接触し、上傾斜部２６６がケース体２３０の上壁部２３４に接触し、下傾斜部２６７がケース体２３０の下壁部２３５に接触して、該ケース体２３０を外側から包み込むように配設される。
【００９５】
予め組み立てられた３基の第１図柄表示ユニット１００は、図２７、図２８および図３５に示すように、支持板１０５におけるベース板金１１６に設けられた各第１固定片１２０を、ドラムケース１０３のケース体２３０における後壁部２３３に設けられた係合支持部２４０に上方から係合させると共に、金属体２３２および後壁部２３３に挿通させたネジにより該後壁部２３３に固定する。また、ベース板金１１６に設けられた第２固定片１２１を、ケース体２３０の上壁部２３４に挿通したネジにより該上壁部２３４に固定すると共に、ベース板金１１６に設けられた第３固定片１２２を、ケース体２３０の下壁部２３５に挿通させたネジにより該下壁部２３５に固定する。これにより、各第１図柄表示ユニット１００は、図３６に示すように、ベース板金１１６がケース体２３０の後壁部２３３、上壁部１３４および下壁部２３５に固定されるから、支持板１０５の前側が左右に変位することが規制されてケース体２３０に安定的に固定される。特に、第１固定片１２０が係合支持部２４０に係合されると共に金属体２３２にも締結されるから、各第１図柄表示ユニット１００は、ケース体２３０に強固に固定される。
【００９６】
予め組み立てられた第２図柄表示ユニット１０１は、図２７、図２８および図３５に示すように、支持板１４５におけるベース板金１５６の上端部１５６Ｄを、ドラムケース２０３のケース体２３０における上壁部２３４に設けられた第１挟持部２４５に差し込むと共に、ベース板金１５６の下端部１５６Ｅを、ケース体２３０の下壁部２３５に設けられた第２挟持部２４６に差し込み、ベース板金１５６に設けられた固定片１６０を、金属体２３２およびケース体２３０の後壁部２３３に挿通させたネジにより該後壁部２３３に固定する。これにより、第２図柄表示ユニット１０１は、ベース板金１５６がケース体２３０の後壁部２３３、上壁部１３４および下壁部２３５に支持されると共に固定されるから、支持板１４５の前側が左右に変位することが規制されてケース体２３０に安定的に固定される。特に、固定片１６０が金属体２３２にも締結されるから、第２図柄表示ユニット１０１は、ケース体２３０に強固に固定される。
【００９７】
次に、予め組み立てられたシャッタユニット１０２は、図２７および図２８に示すように、右支持フレーム１８４の固定片１８６Ａを、ドラムケース２０３のケース体２３０における後壁部２３３の第１開口２４８に整合させ、金属体２３２の後板部２６５に挿通させたネジにより該金属体２３２に固定すると共に、左支持フレーム１８５の固定片１９６Ａを、ドラムケース２０３のケース体２３０における後壁部２３３の第２開口２４９に整合させ、金属体２３２の後板部２６５に挿通させたネジにより該金属体２３２に固定する。なお、この固定作業時に、第１シャッタ体１８１の裏面に設けられた各ガイド片２２０を、各第１図柄表示ユニット１００に設けられた対応するガイド部１３２のガイド溝１３２Ａに差し込むと共に、第２シャッタ体１８２の裏面に設けられた各ガイド片２２０を、各第１図柄表示ユニット１００に設けられた対応するガイド部１３２のガイド溝１３２Ａに差し込むようにする。これにより、シャッタユニット１０２は、右支持フレーム１８４および左支持フレーム１８５により左右両側において金属体２３２に直接固定されるから、右支持フレーム１８４および左支持フレーム１８５の前側が左右に変位することが規制されてケース体２３０に安定的に固定される。
【００９８】
ケース体２３０に対して、各第１図柄表示ユニット１００、第２図柄表示ユニット１０１およびシャッタユニット１０２の取り付けが完了したら、図２７および図２８に示すように、該ケース体２３０と透明カバー体２３１とをネジにより締結する。そして、各第１図柄表示ユニット１００、第２図柄表示ユニット１０１およびシャッタユニット１０２と中継基板２５５とを、図示省略した配線で接続することで、ドラム式図柄表示ユニットＨの組み立てが完了する。
【００９９】
次に、前述のように組み立てられたドラム式図柄表示ユニットＨを、図７に示すように、遊技盤Ｄの後側に取り付けられた設置部材３５の設置開口３６に取り付ける。なお、ドラム式図柄表示ユニットＨの取り付けに際し、設置部材３５の右設置台部４７に予めスライド移動可能に取り付けられた規制部材５５は、図９および図１０に示すように、退避位置に保持させておく。ここで、規制部材５５は、右設置台部４７に形成された保持突部５１に、ストッパ部５７の当接部６４が上方から当接するから、下方の規制位置に向けて降下することなく退避位置に保持される。従って、規制部材５５は、手で押さえなくても退避位置に保持されるから、設置部材３５に対するドラム式図柄表示装置Ｈの取付け作業時に、該ドラム式図柄表示装置Ｈを両手で持つことが可能となる。ドラム式図柄表示装置Ｈの取付け作業においては、先ず、ドラム式図柄表示ユニットＨをその左側が前方となる斜めの姿勢として、ドラムケース１０３の左側部に設けられた各第１引掛け部２８４,２８４を、設置部材３５の左設置台部４５に設けられた各係合口４６,４６に差し込んで係合させる。次いで、ドラム式図柄表示ユニットＨの右側を前方へ移動させ、ドラムケース１０３の右側部に設けられた各第２引掛け部２８５,２８５を、退避位置に保持されている規制部材５５の切欠き部６１,６１に後方から挿通させた後、各切欠き部６１,６１に整合した各係合凹部４８,４８に係合させる(図９、図１０参照)。
【０１００】
各第２引掛け部２８５,２８５が各係合凹部４８,４８に係合されたら、規制部材５５を退避位置から規制位置に向けて移動させる。この際に、保持突部５１の傾斜部５３とストッパ部５７の当接部６４の傾斜面６５とが当接することで、ストッパ部５７が前方へ弾性変形して当接部６４が保持突部５１から前方へ退避するから、規制部材５５の規制位置へのスライド移動が許容される。規制部材５５が規制位置に移動すると、図１１〜図１３に示すように、該規制部材５５の当受け部６２,６２が係合凹部４８,４８の後側に位置して、各係合凹部４８,４８に係合している第２引掛け部２８５,２８５の後面２８５Ａの全面に当受け部６２,６２が面接触した状態で当接し、各第２引掛け部２８５,２８５が同時に対応した係合凹部４８から離脱不能に固定される。すなわち、規制部材５５を退避位置から規制位置へスライド移動させるだけのワンタッチ操作により、２つの第２引掛け部２８５,２８５を各係合凹部４８,４８に同時に固定させることができ、設置部材３５に対してドラム式図柄表示装置Ｈを簡易に固定することができる。しかも、規制部材５５は、退避位置から規制位置へスライド移動させるだけであるから、該規制部材５５の操作を簡易に行なうことができる。また、規制部材５５の当受け部６２と第２引掛け部２８５の後面２８５Ａとが面接触するから、ドラム式図柄表示装置Ｈの重量が規制部材５５に加わっても、該規制部材５５に対して応力が集中することが防止されて、該規制部材５５により第２引掛け部２８５を適切に保持することができ、規制部材５５の破損を防止できる。
【０１０１】
各係合口４６,４６に係合した各第１引掛け部２８４,２８４は、上下方向および前後方向の移動が規制されると共に、各係合凹部４８,４８に係合した各第２引掛け部２８５,２８５も、上下方向の移動が規制されると共に規制部材５５により前後方向の移動も規制される。従って、実施例のドラム式図柄表示装置Ｈは、図６に示すように、ドラムケース１０３の透明カバー体２３１における前面部２７８の第１透視面２７８Ａおよび第２透視面２７８Ｂを、枠状装飾体１７の表示窓口１８に臨ませた状態で、設置部材３５にがたつくことなく固定される。そして、ドラム式図柄表示装置Ｈのドラムケース１０３と設置部材３５の設置開口３６の開口縁との間に隙間２８６が画成されているから、第１図柄表示ユニット１００の作動や、第２図柄表示ユニット１０１の作動や、シャッタユニット１０２の作動によってドラム式図柄表示装置Ｈに振動が発生した場合でも、該振動がドラムケース１０３を介して設置部材３５へ伝わることが抑制され、該ドラム式図柄表示装置Ｈの振動による異音の発生や設置部材３５の振動を抑えることができる。
【０１０２】
また、規制部材５５が規制位置までスライド移動すると、右設置台部４７に形成された保持突部５１が、ストッパ部５７に形成された係合口６６に対して、係合凹部４８の反対側である後側から嵌り込む。従って、例えばドラム式図柄表示装置Ｈの重みにより第２引掛け部２８５に対し係合凹部４８から離脱する方向の力(前方側から後方側への力)が作用した場合には、規制部材５５が保持突部５１側へ押されるから、保持突部５１が係合口６６に差し込まれるようになって該係合口６６と保持突部５１との係合状態が保たれる。従って、規制部材５５が後側へ押されても、該規制部材５５が規制位置から退避位置側へスライド移動することが規制され、ドラム式図柄表示装置Ｈが設置部材３５に固定された状態を好適に維持し得る。また、保持突部５１が係合口６６に嵌り込んでいることで、規制部材５５が規制位置側から退避位置側へ付勢されても、該規制部材５５は、退避位置側へのスライド移動が規制されて規制位置に保持される。
【０１０３】
前述のように構成されたドラム式図柄表示装置Ｈを備えた実施例のパチンコ機Ｐでは、遊技盤Ｄの遊技領域１２へ打ち出された遊技球が始動入賞装置２４の第１始動入賞口２５または第２始動入賞口２６に入賞して、該第１始動入賞口２５または第２始動入賞口２６に配設された球検知スイッチによる球検知信号が主制御装置３００に入力されると、該主制御装置３００は、これを契機として大当り抽選を行なうと共に、大当り抽選の結果に基づく所定の制御信号を統括制御装置３０１に出力する。統括制御装置３０１では、主制御装置３００からの制御信号に基づいて所定の変動パターンを決定して、決定された変動パターンに基づいてドラム式図柄表示装置Ｈの各第１図柄表示ユニット１００の第１図柄ドラム１０７および第２図柄表示ユニット１０１の第２図柄ドラム１４７を回転させて図柄変動演出を行なわせる。
【０１０４】
そして、統括制御装置３０１は、シャッタユニット１０２の作動を伴わない変動パターンを決定した場合には、該シャッタユニット１０２を第１シャッタ体１８１および第２シャッタ体１８２を離間位置(図３、図１９、図２０参照)としたもとで、図３８(ａ)に示すように、３基の各第１図柄表示ユニット１００の第１図柄ドラム１０７および第２図柄表示ユニット１０１の第２図柄ドラム１４７を同時に回転させる。これにより、遊技盤Ｄの表示窓口１８には、上段に位置する第１図柄組合わせラインＬ１、中段に位置する第２図柄組合わせラインＬ２、下段に位置する第３図柄組合わせラインＬ３、左下がりの第４図柄組合わせラインＬ４および右上がりの第５図柄組合わせラインＬ５の合計５本の図柄組合わせラインが形成される。
【０１０５】
統括制御装置３０１は、決定した変動パターンに基づき、各第１図柄表示ユニット１００および第２図柄表示ユニット１００の両方が作動開始してから所定時間後に、図３８(ｂ)に示すように、先ず第２図柄表示ユニット１０１の第２図柄ドラム１４７を停止させて、例えば大当り成立に対する期待度が高いことを示す所定の図柄１５４Ａを停止表示する。第２図柄表示ユニット１０１は、主制御装置３００における大当たり抽選の結果を示唆するように第２図柄ドラム１４７が回転制御されるから、停止表示された図柄１５４Ａに基づいて大当り発生を示唆する際の期待度を変化させた演出が行なわれる。
【０１０６】
そして、統括制御装置３０１は、決定した変動パターンに基づき、第２図柄表示ユニット１０１の第２図柄ドラム１４７が停止してから所定時間後に、図３８(ｃ)に示すように、各第１図柄表示ユニット１００の各第１図柄ドラム１０７を、同時に停止させるか、適宜時間差をもって順次停止させる。従って、遊技盤Ｄの表示窓口１８には、各第１図柄ドラム１０７に３個の図柄１１４Ａが表示され、最大で３列、３段で合計９個の図柄１１４Ａが表示され、第１〜第５の各図柄組合わせラインＬ１,Ｌ２,Ｌ３,Ｌ４,Ｌ５で同一図柄が停止表示される可能性があるから、大当り成立に対する遊技者の興味を惹きつけるようにさせ得る。
【０１０７】
一方、統括制御装置３０１は、シャッタユニット１０２の作動を伴なう変動パターンを決定した場合には、例えば先ず、該シャッタユニット１０２を第１シャッタ体１８１および第２シャッタ体１８２を離間位置(図３、図１９、図２０参照)としたもとで、図３９(ａ)に示すように、３基の各第１図柄表示ユニット１００の第１図柄ドラム１０７および第２図柄表示ユニット１０１の第２図柄ドラム１４７を同時に回転させる。これにより、遊技盤Ｄの表示窓口１８には、一時的に、上段に位置する第１図柄組合わせラインＬ１、中段に位置する第２図柄組合わせラインＬ２、下段に位置する第３図柄組合わせラインＬ３、左下がりの第４図柄組合わせラインＬ４および右上がりの第５図柄組合わせラインＬ５の合計５本の図柄組合わせラインが形成される。
【０１０８】
統括制御装置３０１は、決定した変動パターンに基づき、各第１図柄表示ユニット１００および第２図柄表示ユニット１００の両方が作動開始してから所定時間後に、図３９(ｂ)に示すように、先ず第２図柄表示ユニット１０１の第２図柄ドラム１４７を停止させて、例えば大当り成立に対する期待度が低いことを示す所定の図柄１５４Ａを停止表示する。また、統括制御装置３０１は、シャッタユニット１０２の作動モータ１８３を作動させて、図３９(ｂ)に示すように、第１シャッタ体１８１および第２シャッタ体１８２を、第１図柄ドラム１０７の外面に沿って近接移動させて近接位置(図４、図２３、図２４参照)として、両シャッタ体１８１,１８２を表示窓口１８の上方および下方へ延出した状態とする。これにより、遊技盤Ｄの表示窓口１８には、中段に位置する第２図柄組合わせラインＬ２の１本だけが形成される。
【０１０９】
そして、統括制御装置３０１は、決定した変動パターンに基づき、第２図柄表示ユニット１０１の第２図柄ドラム１４７が停止してから所定時間後に、図３９(ｃ)に示すように、各第１図柄表示ユニット１００の各第１図柄ドラム１０７を、同時に停止させるか、適宜時間差をもって順次停止させる。従って、遊技盤Ｄの表示窓口１８には、各第１図柄ドラム１０７毎に１個の図柄１１４Ａが表示されるから、第２図柄組合わせラインＬ２上に合計３個の図柄１１４Ａが表示される。
【０１１０】
なお、シャッタユニット１０２の作動を伴なう変動パターンは、各第１図柄表示ユニット１００の第１図柄ドラム１０７の回転による図柄変動中に第１シャッタ体１８１および第２シャッタ体１８２を離間位置から近接位置へ単に移動させる態様だけではない。例えば、各第１図柄表示ユニット１００の第１図柄ドラム１０７の回転開始による図柄変動演出の開始と同時に近接位置に移動させ、図柄変動演出の途中に近接位置から離間位置へ移動させる態様や、各第１図柄表示ユニット１００の第１図柄ドラム１０７の回転開始による図柄変動演出の開始時には離間位置に停止させ、図柄変動演出の途中に近接位置から離間位置へ移動させ、更に図柄停止前に再び離間位置に移動させる態様等、様々な態様が設定されており、これにより図柄変動演出の多様化を図るようになっている。
【０１１１】
従って、シャッタユニット１０２を備えたドラム式図柄表示装置Ｈを装備した実施例のパチンコ遊技機Ｐによれば、主制御装置３００における大当り抽選の結果を表示するよう制御される各第１図柄表示ユニット１００の第１図柄ドラム１０７の外周外側に配設した一対の第１シャッタ体１８１および第２シャッタ体１８２を、該各第１図柄ドラム１０７の外周に沿って離間させた離間位置に移動することで、各第１図柄ドラム１０７毎に遊技盤Ｄの表示窓口１８に３個の図柄１１４Ａを表示させ得る。また、第１シャッタ体１８１および第２シャッタ体１８２を、第１図柄ドラム１０７の外周に沿って近接させて表示窓口１８に位置する近接位置とすることで、各第１図柄ドラム１０７毎に、各シャッタ体１８１,１８２の離間位置における図柄表示数(３個)より少ない数(１個)の図柄１１４Ａを遊技盤Ｄの表示窓口１８に表示させ得る。従って、一対の第１シャッタ体１８１および第２シャッタ体１８２を離間位置または近接位置に移動させることで表示窓口１８における図柄１１４Ａの表示数を変化させることができるから、表示窓口１８における図柄変動演出の多様化を図り得る。また、一対の第１シャッタ体１８１および第２シャッタ体１８２を同時に近接移動させることで、各第１図柄ドラム１０７の外周面を周方向両側から隠して、表示窓口１８の中央部に図柄１１４Ａを表示することが可能である。
【０１１２】
また、シャッタユニット１０２の第１シャッタ体１８１および第２シャッタ体１８２が、ドラムケース１０３内に横並びに配置された３基の各図柄表示ユニット１００の各第１図柄ドラム１０７を被覆可能な長さに形成されているから、当該第１シャッタ体１８１および第２シャッタ体１８２により３つの各第１図柄ドラム１０７の図柄１１４Ａを同時に被覆して隠すことができる。そして、シャッタユニット１０２が、１つの作動モータ１８３により３基の第１図柄表示ユニット１００の各第１図柄ドラム１０７を被覆可能な第１シャッタ体１８１および第２シャッタ体１８２を移動させるよう構成されており、各第１図柄表示ユニット１００毎に個別にシャッタ体を備える構成ではないから、各第１図柄表示ユニット１００の複雑化や大型化を防止することができる。従って、シャッタユニット１０２を備えることによるドラム式図柄表示装置Ｈの大型化や重量化も防止し得る。
【０１１３】
また、各第１図柄表示ユニット１００は、支持板１０５におけるベース板金１１６の後部に設けられた第１〜第３の各固定片１２０,１２１,１２２を、ドラムケース１０３のケース体２３０の後部(後壁部２３３、上壁部２３４の後部および下壁部２３５の後部)に固定することで、該ケース体２３０に保持されるよう構成されているから、各第１図柄表示ユニット１００における第１図柄ドラム１０７の外周前側において、シャッタユニット１０２の第１シャッタ体１８１および第２シャッタ体１８２が移動するのを許容し得る。
【０１１４】
更に、左右の両端が支持された第１シャッタ体１８１および第２シャッタ体１８２は、各シャッタ体１８１,１８２の裏面に設けられた各ガイド片２２０が、第１図柄表示ユニット１００に設けられたガイド部１３２のガイド溝１３２Ａに差し込まれて摺動可能となっているから、第１シャッタ体１８１および第２シャッタ体１８２は左右中間部分が第１図柄ドラム１０７に近づくように変形することが規制され、該シャッタ体１８１,１８２が第１図柄ドラム１０７の外周面に接触することを防止できる。また、駆動モータ１０６の駆動により第１図柄ドラム１０７の回転時に振動が発生しても、第１シャッタ体１８１または第２シャッタ体１８２にびびり振動が発生することを防止し得る。
【０１１５】
更に、ドラムケース１０３に収容された３基の各第１図柄表示ユニット１００と第２図柄表示ユニット１０１とは、第１図柄ドラム１０７と第２図柄ドラム１４７との外径が異なると共に、第１図柄ドラム１０７および第２図柄ドラム１４７の回転中心がずれた状態となっている。従って、主制御装置３００における大当り抽選の結果を表示する各第１図柄表示ユニット１００と、該主制御装置３００における大当り抽選の結果や第１図柄表示ユニット１００の動作態様(演出内容)を示唆する第２図柄表示ユニット１０１との役割が異なることが明確化されており、図柄変動演出時に遊技者に混乱を与えない。
【０１１６】
〔変更例〕
なお、遊技機の構成としては、実施例のものに限られるものではなく、種々の変更が可能である。
（１）シャッタユニット１０２について、１つの作動モータ１８３により２つの第１シャッタ体１８１および第２シャッタ体１８２を同期的に移動させる構成を例示したが、第１シャッタ体１８１および第２シャッタ体１８２を別々の作動モータで個別に移動させるよう構成してもよい。このように、第１シャッタ体１８１および第２シャッタ体１８２を別の作動モータで作動させる構成では、図４０(ａ)に示すように、第２シャッタ体１８２を離間位置に停止させると共に第１シャッタ体１８１だけを近接位置に移動させたり、図４０(ｂ)に示すように、第１シャッタ体１８１を離間位置に停止させると共に第２シャッタ体１８２だけを近接位置に移動させることが可能である。ここで、図４０(ａ)の場合には、表示窓口１８に第２図柄組合わせラインＬ２および第３図柄組合わせラインＬ３が形成可能で、各第１図柄ドラム１０７毎に２個ずつの図柄１１４Ａが表示され、３列、２段の合計６個の図柄１１４Ａを表示窓口１８に表示し得る。また、図４０(ｂ)の場合には、表示窓口１８に第１図柄組合わせラインＬ１および第２図柄組合わせラインＬ２が形成可能で、各第１図柄ドラム１０７毎に２個ずつの図柄１１４Ａが表示され、３列、２段の合計６個の図柄１１４Ａを表示窓口１８に表示し得る。
（２）第１図柄表示ユニット１００に設けられた第１ガイド部と、第１シャッタ体１８１および第２シャッタ体１８２に設けられた第２ガイド部の構成は、第１ガイド部を、円弧状に延在する凸状のガイド片として、第２ガイド部を、該第１ガイド部が差し込み可能な凹状のガイド溝とした構成であってもよい。
（３）第１図柄表示ユニット１００に設けられた第１ガイド部と、第１シャッタ体１８１および第２シャッタ体１８２に設けられた第２ガイド部の構成は、図４１に示すように、第１または第２ガイド部の何れか一方が、短手方向の断面形状を、先端側が基端側より幅広の先端拡大凸部(例えばＴ形形状)とすると共に、他方のガイド部が、短手方向の断面形状を、開口端側より底側が幅広の底部拡大凹部(例えば逆Ｔ形形状)としてもよい。第１ガイド部および第２ガイド部をこのような断面形状とした場合には、第１シャッタ体１８１および第２シャッタ体１８２が、第１図柄ドラム１０７に外周面に近づく方向の弾性変形が規制されると共に該外周面から遠ざかる方向の弾性変形も規制されるから、該シャッタ体１８１,１８２が第１図柄ドラム１０７の外周面から遠ざかる方向へ弾性変形して透明カバー体２３１の前面部２７８に接触することも防止し得る。
（４）シャッタユニット１０２のシャッタ体１８１,１８２は、３基の第１図柄表示ユニット１００における第１図柄ドラム１０７の図柄１１４Ａを同時に被覆するものに限らず、２基以下または４基以上の第１図柄表示ユニット１００における第１図柄ドラム１０７の図柄１１４Ａを同時に被覆する構成であってもよい。また、各第１図柄表示ユニット１００毎に、第１図柄ドラム１０７の図柄１１４Ａを被覆し得るシャッタユニット１０２を個別に備えた構成であってもよい。
（５）第１シャッタ体１８１および第２シャッタ体１８２の離間位置における各第１図柄ドラム１０７毎に視認可能な図柄数および近接位置における視認可能な図柄数は、各々３つおよび１つに限定されず、各シャッタ体１８１,１８２の離間位置における視認可能な図柄数は２つまたは４つ以上であってもよく、各シャッタ体１８１,１８２の近接位置における視認可能な図柄数は、離間位置における視認可能な図柄数より少なければ２つ以上であってもよい。
（６）第２図柄表示ユニット１０１は、第１図柄表示ユニット１００の右側に隣接して配設したものに限らず、第１図柄表示ユニット１００の左側に隣接して配設した構成や、第１図柄表示ユニット１００の上側または下側に隣接して配設した構成であってもよい。また、第１図柄表示ユニット１００または第２図柄表示ユニット１０１は、各図柄ドラム１０７,１４７の回転中心の軸方向が、上下方向に延在する向きや、斜め方向に傾斜した向きに配設したものであってもよい。
（７）各係合凹部４８に係合した各第２引掛け部２８５を対応する該係合凹部４８に固定する規制手段５５は、退避位置と規制位置との間に実施例のように上下にスライド移動するものに限らず、例えば退避位置と規制位置との間を左右方向に対して斜めにスライド移動するものや、前後方向に対して斜めにスライド移動するものであってもよい。また、係合凹部４８、第２引掛け部２８５および規制手段５５は、実施例で示したドラム式図柄表示装置Ｈの右側に限らず、該ドラム式図柄表示装置Ｈの左側、上側または下側に設けてもよい。
（８）規制手段５５によって同時に固定される第１固定部と第２固定部との数は、実施例で例示した２組に限らず、３組以上であってもよい。
（９）規制手段５５により固定する第１固定部と第２固定部が配設される部材は、実施例で例示した設置部材３５とドラム式図柄表示装置Ｈに限らず、遊技機を構成する他の部材であってもよい。
（１０）規制部材５５を規制位置に固定する第１係合部と第２係合部は、実施例で例示した凹凸形態と逆の凹凸形態としてもよい。すなわち、規制部材５５のストッパ部５７に設けられる第１係合部を凸状とし、設置部材３５側に設けられる第２係合部を凹状としてもよい。また、第１係合部が設けられるストッパ部５７は、規制部材５５の上部または側部に設けるようにしてもよい。
（１１）遊技機として、一般的なパチンコ機にを例示したが、これに限られるものではなく、スロットマシンであってもよい。また、図柄表示体としては、実施例に示した図柄ドラムに限られるものではなく、外周面に各種図柄が表示された無端状の図柄ベルトを採用することもできる。
【符号の説明】
【０１１７】
３５ 設置部材(第１部材)，４８ 係合凹部(第１固定部)，５１ 保持突部(第２係合部)
５３ 傾斜部(退避手段)，５５ 規制部材(規制手段)，６２ 当受け部，６４ 当接部
６５ 傾斜面(退避手段)，６６ 係合口(第１係合部)
１００ 第１図柄表示ユニット(図柄表示ユニット)
１０１ 第２図柄表示ユニット(図柄表示ユニット)
１０３ ドラムケース(第２部材)，１０６ 駆動モータ(駆動手段)
１０７ 第１図柄ドラム(図柄表示体)，１４６ 駆動モータ(駆動手段)
１４７ 第２図柄ドラム(図柄表示体)，２８５ 第２引掛け部(第２固定部)
２８６ 隙間，Ｄ 遊技盤
【図１】
2014223211.tif 000003
【図２】
2014223211.tif 000004
【図３】
2014223211.tif 000005
【図４】
2014223211.tif 000006
【図５】
2014223211.tif 000007
【図６】
2014223211.tif 000008
【図７】
2014223211.tif 000009
【図８】
2014223211.tif 000010
【図９】
2014223211.tif 000011
【図１０】
2014223211.tif 000012
【図１１】
2014223211.tif 000013
【図１２】
2014223211.tif 000014
【図１３】
2014223211.tif 000015
【図１４】
2014223211.tif 000016
【図１５】
2014223211.tif 000017
【図１６】
2014223211.tif 000018
【図１７】
2014223211.tif 000019
【図１８】
2014223211.tif 000020
【図１９】
2014223211.tif 000021
【図２０】
2014223211.tif 000022
【図２１】
2014223211.tif 000023
【図２２】
2014223211.tif 000024
【図２３】
2014223211.tif 000025
【図２４】
2014223211.tif 000026
【図２５】
2014223211.tif 000027
【図２６】
2014223211.tif 000028
【図２７】
2014223211.tif 000029
【図２８】
2014223211.tif 000030
【図２９】
2014223211.tif 000031
【図３０】
2014223211.tif 000032
【図３１】
2014223211.tif 000033
【図３２】
2014223211.tif 000034
【図３３】
2014223211.tif 000035
【図３４】
2014223211.tif 000036
【図３５】
2014223211.tif 000037
【図３６】
2014223211.tif 000038
【図３７】
2014223211.tif 000039
【図３８】
2014223211.tif 000040
【図３９】
2014223211.tif 000041
【図４０】
2014223211.tif 000042
【図４１】
2014223211.tif 000043